(57)【要約】【課題】表示装置やホワイトボード等の被投影体に配信データが表示されている場合において、書込入力を実行する領域を確保してユーザの利便性を向上させるデータ配信システムを提供する。【解決手段】ＣＰＵ２は、書込入力があったかどうかを判断する（ステップＳ１３）。書込入力があったと判断した場合には、書込画像データを取得する（ステップＳ１３＃）。そして、次に、ＣＰＵは、取得した書込画像データに基づいて、書込入力した書込画像は手書きによる領域指定画像かどうかを判断する（ステップＳ１４）。ＣＰＵ２５は、取得した書込画像データに基づいて、書込入力した書込画像が手書きによる領域指定画像であると判断した場合には、次に指定書込領域表示処理を実行する（ステップＳ１８）。【選択図】図７
2010146086.tif 000002
【特許請求の範囲】
【請求項１】
配信データを出力するデータ配信装置と、
前記データ配信装置により出力された配信データを表示する表示装置とを備え、
前記データ配信装置は、
前記表示装置の表示領域内において、指定入力された位置に応じた座標データの入力を受け付ける入力検知手段と、
前記入力検知手段により入力を受け付けた座標データに基づいて前記表示装置の表示領域内に書込入力した画像を表示するように第１の書込入力画像データを前記表示装置に出力する書込入力手段と、
前記第１の書込入力画像データに基づいて前記表示装置の表示領域内の一部領域が指定されたかどうかを判断する判断手段と、
前記判断手段により、前記表示装置の表示領域内の一部領域が指定されたと判断された場合には、前記指定された一部領域を書込入力領域として確保するために前記配信データを加工編集して前記表示装置に出力する書込入力領域確保手段とを備える、データ配信システム。
【請求項２】
表示装置に表示する配信データを出力するデータ配信装置であって、
前記表示装置の表示領域内において、指定入力された位置に応じた座標データの入力を受け付ける入力検知手段と、
前記入力検知手段により入力を受け付けた座標データに基づいて前記表示装置の表示領域内に書込入力した画像を表示するように第１の書込入力画像データを前記表示装置に出力する書込入力手段と、
前記第１の書込入力画像データに基づいて前記表示装置の表示領域内の一部領域が指定されたかどうかを判断する判断手段と、
前記判断手段により、前記表示装置の表示領域内の一部領域が指定されたと判断された場合には、前記指定された一部領域を書込入力領域として確保するために前記配信データを加工編集して前記表示装置に出力する書込入力領域確保手段とを備える、データ配信装置。
【請求項３】
前記判断手段は、前記第１の書込入力画像データが前記書込入力手段により前記表示装置の表示領域内に手書きによる線で囲まれた領域を表示するデータであるかどうかを判断する、請求項２記載のデータ配信装置。
【請求項４】
前記書込入力領域確保手段は、前記判断手段で判断された手書きによる線で囲まれた領域の内側あるいは外側を書込入力領域画像データとして前記配信データを加工編集して前記表示装置に出力する、請求項３記載のデータ配信装置。
【請求項５】
前記判断手段は、前記第１の書込入力画像データが前記書込入力手段により前記表示装置の表示領域内において、領域を囲むように複数のポイントを表示するデータであるかどうかを判断する、請求項２記載のデータ配信装置。
【請求項６】
前記書込入力領域確保手段は、前記判断手段で判断された複数のポイントで囲まれる領域の内側あるいは外側を書込入力領域画像データとして前記配信データを加工編集して前記表示装置に出力する、請求項５記載のデータ配信装置。
【請求項７】
前記表示装置には、タッチパネルが設けられ、
前記入力検知手段は、前記タッチパネルからの指定入力された位置に応じた座標データの入力を受け付ける、請求項２記載のデータ配信装置。
【請求項８】
前記書込入力領域確保手段は、前記判断手段により前記一部領域が指定されたと判断された場合には、前記配信データを加工編集した後の前記表示装置で表示される画像を予め操作画面に表示する確認画面表示手段を含む、請求項２記載のデータ配信装置。
【請求項９】
前記書込入力領域確保手段は、前記表示装置の表示領域内の前記指定された一部領域が何も表示されない書込入力領域画像データと前記配信データとを合成処理して前記表示装置に出力する、請求項２記載のデータ配信装置。
【請求項１０】
前記書込入力領域確保手段は、前記表示装置の表示領域内の前記指定された一部領域が所定の色領域となる書込入力領域画像データと前記配信データとを合成処理して前記表示装置に出力する、請求項２記載のデータ配信装置。
【請求項１１】
前記書込入力領域確保手段は、前記表示装置の表示領域内の前記指定された一部領域以外の領域に含まれるように前記配信データを縮小して前記表示装置に出力する、請求項２記載のデータ配信装置。
【請求項１２】
前記書込入力領域確保手段は、
予め設けられた複数の書込入力領域画像データの選択が可能な候補選択画面を操作画面に表示する候補選択画面表示手段と、
前記候補選択画面表示手段で表示された前記複数の書込入力領域画像データのうちの１つの選択入力を受け付ける選択入力受付手段と、
前記選択入力受付手段により選択入力された前記書込入力領域画像データと前記配信データとを合成処理して前記表示装置に出力する書込入力領域合成手段とを含む、請求項２記載のデータ配信装置。
【請求項１３】
前記書込入力手段により前記表示装置の確保された前記書込入力領域内に書込入力した画像を表示するように前記表示装置に出力された第２の書込入力画像データと、前記配信データとを合成するための書込データ合成手段をさらに備える、請求項２記載のデータ配信装置。
【請求項１４】
前記書込データ合成手段は、前記表示装置の表示領域内の指定された一部領域に前記第２の書込入力画像データが表示され、前記指定された一部領域以外の領域に縮小された前記配信データが表示されるように合成処理する、請求項１３記載のデータ配信装置。
【請求項１５】
前記書込データ合成手段は、前記表示装置の表示領域内の指定された一部領域に前記第２の書込入力画像データが表示され、前記表示装置の表示領域内に表示された配信データのうち前記指定された一部領域以外の領域に対応して前記配信データが表示されるように合成処理する、請求項１３記載のデータ配信装置。
【請求項１６】
前記配信データは、ページ毎に分けられ、順番に配信される複数のページデータで構成され、
前記書込データ合成手段は、前記書込入力手段により前記表示装置の確保された前記書込入力領域内に書込入力した画像を表示するように前記表示装置に出力された第２の書込入力画像データと、前記ページデータとを合成処理する、請求項１３記載のデータ配信装置。
【請求項１７】
前記配信データは、ページ毎に分けられ、順番に配信される複数のページデータで構成され、
前記書込データ合成手段は、配信するページデータの切替指示に応答して前記書込入力手段により前記表示装置の確保された前記書込入力領域内に書込入力した画像を表示するように前記表示装置に出力された第２の書込入力画像データと、前記配信データとを合成処理する、請求項１３記載のデータ配信装置。
【請求項１８】
前記書込データ合成手段は、前記書込入力手段により前記表示装置の確保された前記書込入力領域内に書込入力した画像を表示するように前記表示装置に前記第２の書込入力画像データが出力されてから、所定期間内に前記書込入力手段による前記表示装置の確保された前記書込入力領域内に対する書込入力が無い場合には、前記第２の書込入力画像データと、前記配信データとを合成処理する、請求項１３記載のデータ配信装置。
【請求項１９】
配信データを出力する配信装置と、
前記配信装置から出力された配信データを被投影体に投影する投影装置と、
前記被投影体に表示された画像を取得する画像取得装置とを備え、
前記配信装置は、
前記被投影体に表示されている画像を撮像した取得画像に基づいて前記被投影体に投影された領域に含まれる前記被投影体に書込入力した画像を抽出する書込入力画像抽出手段と、
前記書込入力画像抽出手段により抽出された前記被投影体に書込入力した第１の書込入力画像データに基づいて前記被投影体に投影された前記配信データの一部領域が指定されたかどうかを判断する判断手段と、
前記判断手段により、前記被投影体に投影された前記配信データの一部領域が指定されたと判断された場合には、前記指定された一部領域を書込入力領域として確保するために前記配信データを加工編集して前記投影装置に出力する書込入力領域確保手段とを備える、データ配信システム。
【請求項２０】
被投影体に投影する配信データを投影装置に出力するデータ配信装置であって、
前記被投影体に表示されている画像を撮像した取得画像に基づいて前記被投影体に投影された領域に含まれる前記被投影体に書込入力した画像を抽出する書込入力画像抽出手段と、
前記書込入力画像抽出手段により抽出された前記被投影体に書込入力した第１の書込入力画像データに基づいて前記被投影体に投影された前記配信データの一部領域が指定されたかどうかを判断する判断手段と、
前記判断手段により、前記被投影体に投影された前記配信データの一部領域が指定されたと判断された場合には、前記指定された一部領域を書込入力領域として確保するために前記配信データを加工編集して前記投影装置に出力する書込入力領域確保手段とを備える、データ配信装置。
【請求項２１】
前記判断手段は、前記第１の書込入力画像データについて、前記配信データが前記被投影体に投影された領域内に手書きによる線で囲まれた領域を表示するデータであるかどうかを判断する、請求項２０記載のデータ配信装置。
【請求項２２】
前記書込入力領域確保手段は、前記判断手段で判断された手書きによる線で囲まれた領域の内側あるいは外側を書込入力領域画像データとして前記配信データを加工編集して前記投影装置に出力する、請求項２１記載のデータ配信装置。
【請求項２３】
前記判断手段は、前記第１の書込入力画像データについて、前記配信データが前記被投影体に投影された領域内に、領域を囲むように複数のポイントを表示するデータであるかどうかを判断する、請求項２０記載のデータ配信装置。
【請求項２４】
前記書込入力領域確保手段は、前記判断手段で判断された複数のポイントで囲まれる領域の内側あるいは外側を書込入力領域画像データとして前記配信データを加工編集して前記投影装置に出力する、請求項２３記載のデータ配信装置。
【請求項２５】
前記データ配信装置は、カメラあるいは、スキャナにより撮像された取得画像の入力を受ける、請求項２０記載のデータ配信装置。
【請求項２６】
前記書込入力領域確保手段は、前記判断手段により前記一部領域が指定されたと判断された場合には、前記配信データを加工編集した後の前記投影装置で前記被投影体に投影される画像を予め操作画面に表示する確認画面表示手段を含む、請求項２０記載のデータ配信装置。
【請求項２７】
前記書込入力領域確保手段は、前記配信データが前記被投影体に投影された領域内の前記指定された一部領域が何も表示されない書込入力領域画像データと前記配信データとを合成処理して前記投影装置に出力する、請求項２０記載のデータ配信装置。
【請求項２８】
前記書込入力領域確保手段は、前記配信データが前記被投影体に投影された領域内の前記指定された一部領域が所定の色領域となる書込入力領域画像データと前記配信データとを合成処理して前記投影装置に出力する、請求項２０記載のデータ配信装置。
【請求項２９】
所定の色領域は、前記被投影体の色と同じである、請求項２８記載のデータ配信装置。
【請求項３０】
前記書込入力領域確保手段は、前記配信データが前記被投影体に投影された領域内の前記指定された一部領域以外の領域に含まれるように前記配信データを縮小して前記投影装置に出力する、請求項２０記載のデータ配信装置。
【請求項３１】
前記書込入力領域確保手段は、
予め設けられた複数の書込入力領域画像データの選択が可能な候補選択画面を操作画面に表示する候補選択画面表示手段と、
前記候補選択画面表示手段で表示された前記複数の書込入力領域画像データのうちの１つの選択入力を受け付ける選択入力受付手段と、
前記選択入力受付手段により選択入力された前記書込入力領域画像データと前記配信データとを合成処理して前記投影装置に出力する書込入力領域合成手段とを含む、請求項２０記載のデータ配信装置。
【請求項３２】
前記データ配信装置は、前記被投影体に前記書込入力領域が確保された後、前記被投影体に表示されている画像を撮像した別の取得画像の入力を受け、
前記書込入力画像抽出手段は、前記別の取得画像に基づいて前記被投影体の前記書込入力領域内に書込入力した画像を抽出し、
前記書込入力画像抽出手段により抽出された前記被投影体の前記書込入力領域内に書込入力した第２の書込入力画像データと、前記配信データとを合成するための書込データ合成手段をさらに備える、請求項２０記載のデータ配信装置。
【請求項３３】
前記書込データ合成手段は、前記指定された一部領域に前記第２の書込入力画像データが表示され、前記指定された一部領域以外の領域に縮小された前記配信データが表示されるように合成処理する、請求項３２記載のデータ配信装置。
【請求項３４】
前記書込データ合成手段は、前記指定された一部領域に前記第２の書込入力画像データが表示され、前記表示装置の表示領域内に表示された配信データのうち前記指定された一部領域以外の領域に対応して前記配信データが表示されるように合成処理する、請求項３２記載のデータ配信装置。
【請求項３５】
前記配信データは、ページ毎に分けられ、順番に配信される複数のページデータで構成され、
前記書込データ合成手段は、前記書込入力画像抽出手段により抽出された前記被投影体に書込入力した第２の書込入力画像データと、前記ページデータとを合成処理する、請求項３２記載のデータ配信装置。
【請求項３６】
前記配信データは、ページ毎に分けられ、順番に配信される複数のページデータで構成され、
前記書込データ合成手段は、配信するページデータの切替指示に応答して前記書込入力画像抽出手段により抽出された前記被投影体に書込入力した第２の書込入力画像データと、前記ページデータとを合成処理する、請求項３２記載のデータ配信装置。
【請求項３７】
前記書込データ合成手段は、前記書込入力画像抽出手段により前記被投影体に書込入力した前記第２の書込入力画像データが抽出されてから、所定期間内に前記書込入力領域内に書込入力した別の書込入力画像データの抽出が無い場合には、前記第２の書込入力画像データと、前記配信データとを合成処理する、請求項３２記載のデータ配信装置。
【請求項３８】
前記別の取得画像に基づいて、前記投影装置と前記被投影体との間の撮像範囲に含まれる書込入力を行う人の手を認識する手認識手段をさらに備え、
前記書込データ合成手段は、前記手認識手段による手の認識結果に基づいて、前記被投影体の前記書込入力領域内に書込入力された第２の書込入力画像データと、前記配信データとを合成する、請求項３２載のデータ配信装置。
【請求項３９】
前記被投影体に設けられた前記被投影体に書込入力された画像を消去するための消去装置を制御する消去制御手段をさらに備える、請求項２０記載のデータ配信装置。
【請求項４０】
前記配信データは、ページ毎に分けられ、順番に配信される複数のページデータで構成され、
前記消去制御手段は、配信するページデータの切替指示に応答して前記消去装置に対して前記被投影体に書込入力された画像の消去を指示する、請求項３９記載のデータ配信装置。
【請求項４１】
表示装置に表示する配信データを出力するデータ配信方法であって、
前記表示装置の表示領域内において、指定入力された位置に応じた座標データの入力を受け付けるステップと、
前記入力を受け付けた座標データに基づいて前記表示装置の表示領域内に書込入力した画像を表示するように第１の書込入力画像データを前記表示装置に出力するステップと、
前記第１の書込入力画像データに基づいて前記表示装置の表示領域内の一部領域が指定されたかどうかを判断するステップと、
前記判断するステップにより、前記表示装置の表示領域内の一部領域が指定されたと判断された場合には、前記指定された一部領域を書込入力領域として確保するために前記配信データを加工編集して前記表示装置に出力するステップとを備える、データ配信方法。
【請求項４２】
表示装置に表示する配信データを出力するデータ配信装置のコンピュータに、
前記表示装置の表示領域内において、指定入力された位置に応じた座標データの入力を受け付けるステップと、
前記入力を受け付けた座標データに基づいて前記表示装置の表示領域内に書込入力した画像を表示するように第１の書込入力画像データを前記表示装置に出力するステップと、
前記第１の書込入力画像データに基づいて前記表示装置の表示領域内の一部領域が指定されたかどうかを判断するステップと、
前記判断するステップにより、前記表示装置の表示領域内の一部領域が指定されたと判断された場合には、前記指定された一部領域を書込入力領域として確保するために前記配信データを加工編集して前記表示装置に出力するステップとを実行させるデータ配信プログラム。
【請求項４３】
被投影体に投影する配信データを投影装置に出力するデータ配信方法であって、
前記被投影体に表示されている画像を撮像した取得画像に基づいて前記被投影体に投影された領域に含まれる前記被投影体に書込入力した画像を抽出するステップと、
前記抽出された前記被投影体に書込入力した第１の書込入力画像データに基づいて前記被投影体に投影された前記配信データの一部領域が指定されたかどうかを判断するステップと、
前記判断するステップにより、前記被投影体に投影された前記配信データの一部領域が指定されたと判断された場合には、前記指定された一部領域を書込入力領域として確保するために前記配信データを加工編集して前記投影装置に出力するステップとを備える、データ配信方法。
【請求項４４】
被投影体に投影する配信データを投影装置に出力するデータ配信装置のコンピュータに、
前記被投影体に表示されている画像を撮像した取得画像に基づいて前記被投影体に投影された領域に含まれる前記被投影体に書込入力した画像を抽出するステップと、
前記抽出された前記被投影体に書込入力した第１の書込入力画像データに基づいて前記被投影体に投影された前記配信データの一部領域が指定されたかどうかを判断するステップと、
前記判断するステップにより、前記被投影体に投影された前記配信データの一部領域が指定されたと判断された場合には、前記指定された一部領域を書込入力領域として確保するために前記配信データを加工編集して前記投影装置に出力するステップとを実行させるデータ配信プログラム。
【発明の詳細な説明】
【技術分野】
【０００１】
本発明は、データ配信システム、データ配信装置、データ配信方法およびデータ配信プログラムに関し、特に配信データを表示する表示装置等とそれに接続されるデータ配信装置とを含むデータ配信システム、データ配信装置、データ配信装置で実行されるデータ配信方法およびデータ配信プログラムに関する。
【背景技術】
【０００２】
近年のマルチメディア化に伴い大画面のディスプレイがさまざまなシーンで活用されるようなってきている。たとえば、大画面の表示装置に、プレゼンテーション、各種資料などのさまざまな画像を表示して会社の会議等で利用する場面が増加している。
【０００３】
特に、会社の会議等においては、会議の進行の際に、画像の表示だけでなく、発表者がいわゆるデジタイザ等を用いて大画面の表示装置に描画した情報を表示するホワイトボード機能を搭載した表示装置も一般的に利用されている。
【０００４】
また、ホワイトボードにプロジェクタ等を用いて画像を表示するとともに、例えばプレゼンテーションを行なう発表者がホワイトボードに補足するために書込入力した内容等と当該プロジェクタからホワイトボードに投影されている画像データとを合成するシステム等が種々提案されている。
【０００５】
たとえば、特開２００１−１６３８４号公報、特開２００７−１０２０５５号公報においては、白板部（ホワイトボード）にプロジェクタを用いて画像データを投影するとともに、白板部に利用者が書込んだ書込画像をスキャナで読込んで電子化して書込画像データとして、白板部に投影された画像データと合成する方式が提案されている。
【０００６】
また、特開２００６−１０８８１３号公報においては、デジタルカメラによりホワイトボードに書込まれた書込画像データを取得し、ホワイトボードに投影されたオリジナルの原稿データとを合成する方式が提案されている。
【０００７】
また、特開２００４−３３６２８９号公報においては、ホワイトボードに書込んだ書込画像データの履歴を管理する方式も提案されている。
【０００８】
また、特開２００５−１９５６１７号公報においては、スクリーンに投影された画像データに対する書込画像データだけでなく、音声データも取得し、音声データを書込画像データに対応付けて記録再生する方式が提案されている。
【０００９】
また、特開２００７−１７５４３号公報においては、ホワイトボードに投影された画像データと筆記画像である書込画像データとを合成する場合において、位置ずれを生じることなく合成する方式が提案されている。
【特許文献１】特開２００１−１６３８４号公報
【特許文献２】特開２００４−３３６２８９号公報
【特許文献３】特開２００５−１９５６１７号公報
【特許文献４】特開２００６−１０８８１３号公報
【特許文献５】特開２００７−１７５４３号公報
【特許文献６】特開２００７−１０２０５５号公報
【発明の開示】
【発明が解決しようとする課題】
【００１０】
上記公報に記載される装置あるいはシステム等においては、ホワイトボード等に例えば配信データである画像データが表示されている場合に、表示された画像データと、書込入力された書込画像データとを合成する方式が開示されているが、ホワイトボード等の領域全体に配信データが表示されているような場合に、ホワイトボード等に書込入力をする場合、表示されている配信データとの重なりで、書込入力した内容が不明瞭となる可能性があった。
【００１１】
また、書込入力するスペースがなかったり、あるいは、書込入力するスペースとして、領域の隅に書く必要があったり等、書込入力するためのスペースの問題で適切な場所に書込入力を実行することができないという問題があった。
【００１２】
これを回避するために、ホワイトボード等に配信データを表示しないようにしてから、書込入力するスペースを確保して、書込入力を実行しなければならないといった問題があった。
【００１３】
本発明は、上記のような問題を解決するためになされたものであって、表示装置やホワイトボード等の被投影体に配信データが表示されている場合において、書込入力を実行する領域を確保してユーザの利便性を向上させることが可能なデータ配信システム、データ配信装置、データ配信方法、データ配信プログラムを提供することを目的とする。
【課題を解決するための手段】
【００１４】
本発明に係るデータ配信システムは、配信データを出力するデータ配信装置と、データ配信装置により出力された配信データを表示する表示装置とを備える。データ配信装置は、表示装置の表示領域内において、指定入力された位置に応じた座標データの入力を受け付ける入力検知手段と、入力検知手段により入力を受け付けた座標データに基づいて表示装置の表示領域内に書込入力した画像を表示するように第１の書込画像データを表示装置に出力する書込入力手段と、第１の書込画像データに基づいて表示装置の表示領域内の一部領域が指定されたかどうかを判断する判断手段と、判断手段により、表示装置の表示領域内の一部領域が指定されたと判断された場合には、指定された一部領域を書込入力領域として確保するために配信データを加工編集して表示装置に出力する書込入力領域確保手段とを備える。
【００１５】
本発明に係るデータ配信装置は、表示装置に表示する配信データを出力するデータ配信装置であって、表示装置の表示領域内において、指定入力された位置に応じた座標データの入力を受け付ける入力検知手段と、入力検知手段により入力を受け付けた座標データに基づいて表示装置の表示領域内に書込入力した画像を表示するように第１の書込画像データを表示装置に出力する書込入力手段と、第１の書込画像データに基づいて表示装置の表示領域内の一部領域が指定されたかどうかを判断する判断手段と、判断手段により、表示装置の表示領域内の一部領域が指定されたと判断された場合には、指定された一部領域を書込入力領域として確保するために配信データを加工編集して表示装置に出力する書込入力領域確保手段とを備える。
【００１６】
好ましくは、判断手段は、第１の書込画像データが書込入力手段により表示装置の表示領域内に手書きによる線で囲まれた領域を表示するデータであるかどうかを判断する。
【００１７】
特に、書込入力領域確保手段は、判断手段で判断された手書きによる線で囲まれた領域の内側あるいは外側を書込入力領域画像データとして配信データを加工編集して表示装置に出力する。
【００１８】
特に、判断手段は、第１の書込画像データが書込入力手段により表示装置の表示領域内において、領域を囲むように複数のポイントを表示するデータであるかどうかを判断する。
【００１９】
特に、書込入力領域確保手段は、判断手段で判断された複数のポイントで囲まれる領域の内側あるいは外側を書込入力領域画像データとして配信データを加工編集して表示装置に出力する。
【００２０】
好ましくは、表示装置には、タッチパネルが設けられ、入力検知手段は、タッチパネルからの指定入力された位置に応じた座標データの入力を受け付ける。
【００２１】
好ましくは、書込入力領域確保手段は、判断手段により一部領域が指定されたと判断された場合には、配信データを加工編集した後の表示装置で表示される画像を予め操作画面に表示する確認画面表示手段を含む。
【００２２】
好ましくは、書込入力領域確保手段は、表示装置の表示領域内の指定された一部領域が何も表示されない書込入力領域画像データと配信データとを合成処理して表示装置に出力する。
【００２３】
好ましくは、書込入力領域確保手段は、表示装置の表示領域内の指定された一部領域が所定の色領域となる書込入力領域画像データと配信データとを合成処理して表示装置に出力する。
【００２４】
好ましくは、書込入力領域確保手段は、表示装置の表示領域内の指定された一部領域以外の領域に含まれるように配信データを縮小して表示装置に出力する。
【００２５】
好ましくは、書込入力領域確保手段は、予め設けられた複数の書込入力領域画像データの選択が可能な候補選択画面を操作画面に表示する候補選択画面表示手段と、候補選択画面表示手段で表示された複数の書込入力領域画像データのうちの１つの選択入力を受け付ける選択入力受付手段と、選択入力受付手段により選択入力された書込入力領域画像データと配信データとを合成処理して表示装置に出力する書込入力領域合成手段とを含む。
【００２６】
好ましくは、書込入力手段により表示装置の確保された書込入力領域内に書込入力した画像を表示するように表示装置に出力された第２の書込画像データと、配信データとを合成するための書込データ合成手段をさらに備える。
【００２７】
特に、書込データ合成手段は、表示装置の表示領域内の指定された一部領域に第２の書込画像データが表示され、指定された一部領域以外の領域に縮小された配信データが表示されるように合成処理する。
【００２８】
特に、書込データ合成手段は、表示装置の表示領域内の指定された一部領域に第２の書込画像データが表示され、表示装置の表示領域内に表示された配信データのうち指定された一部領域以外の領域に対応して配信データが表示されるように合成処理する。
【００２９】
特に、配信データは、ページ毎に分けられ、順番に配信される複数のページデータで構成される。書込データ合成手段は、書込入力手段により表示装置の確保された書込入力領域内に書込入力した画像を表示するように表示装置に出力された第２の書込画像データと、ページデータとを合成処理する。
【００３０】
特に、配信データは、ページ毎に分けられ、順番に配信される複数のページデータで構成される。書込データ合成手段は、配信するページデータの切替指示に応答して書込入力手段により表示装置の確保された書込入力領域内に書込入力した画像を表示するように表示装置に出力された第２の書込画像データと、配信データとを合成処理する。
【００３１】
特に、書込データ合成手段は、書込入力手段により表示装置の確保された書込入力領域内に書込入力した画像を表示するように表示装置に第２の書込画像データが出力されてから、所定期間内に書込入力手段による表示装置の確保された書込入力領域内に対する書込入力が無い場合には、第２の書込画像データと、配信データとを合成処理する。
【００３２】
本発明に係る別のデータ配信システムは、配信データを出力する配信装置と、配信装置から出力された配信データを被投影体に投影する投影装置と、被投影体に表示された画像を取得する画像取得装置とを備える。配信装置は、被投影体に表示されている画像を撮像した取得画像に基づいて被投影体に投影された領域に含まれる被投影体に書込入力した画像を抽出する書込画像抽出手段と、書込画像抽出手段により抽出された被投影体に書込入力した第１の書込画像データに基づいて被投影体に投影された配信データの一部領域が指定されたかどうかを判断する判断手段と、判断手段により、被投影体に投影された配信データの一部領域が指定されたと判断された場合には、指定された一部領域を書込入力領域として確保するために配信データを加工編集して投影装置に出力する書込入力領域確保手段とを備える。
【００３３】
本発明に係る別のデータ配信装置は、被投影体に投影する配信データを投影装置に出力するデータ配信装置であって、被投影体に表示されている画像を撮像した取得画像に基づいて被投影体に投影された領域に含まれる被投影体に書込入力した画像を抽出する書込画像抽出手段と、書込画像抽出手段により抽出された被投影体に書込入力した第１の書込画像データに基づいて被投影体に投影された配信データの一部領域が指定されたかどうかを判断する判断手段と、判断手段により、被投影体に投影された配信データの一部領域が指定されたと判断された場合には、指定された一部領域を書込入力領域として確保するために配信データを加工編集して投影装置に出力する書込入力領域確保手段とを備える。
【００３４】
好ましくは、判断手段は、第１の書込画像データについて、配信データが被投影体に投影された領域内に手書きによる線で囲まれた領域を表示するデータであるかどうかを判断する。
【００３５】
特に、書込入力領域確保手段は、判断手段で判断された手書きによる線で囲まれた領域の内側あるいは外側を書込入力領域画像データとして配信データを加工編集して投影装置に出力する。
【００３６】
好ましくは、判断手段は、第１の書込画像データについて、配信データが被投影体に投影された領域内に、領域を囲むように複数のポイントを表示するデータであるかどうかを判断する。
【００３７】
特に、書込入力領域確保手段は、判断手段で判断された複数のポイントで囲まれる領域の内側あるいは外側を書込入力領域画像データとして配信データを加工編集して投影装置に出力する。
【００３８】
好ましくは、データ配信装置は、カメラあるいは、スキャナにより撮像された取得画像の入力を受ける。
【００３９】
好ましくは、書込入力領域確保手段は、判断手段により一部領域が指定されたと判断された場合には、配信データを加工編集した後の投影装置で被投影体に投影される画像を予め操作画面に表示する確認画面表示手段を含む。
【００４０】
好ましくは、書込入力領域確保手段は、配信データが被投影体に投影された領域内の指定された一部領域が何も表示されない書込入力領域画像データと配信データとを合成処理して投影装置に出力する。
【００４１】
好ましくは、書込入力領域確保手段は、配信データが被投影体に投影された領域内の指定された一部領域が所定の色領域となる書込入力領域画像データと配信データとを合成処理して投影装置に出力する。
【００４２】
特に、所定の色領域は、被投影体の色と同じである。
好ましくは、書込入力領域確保手段は、配信データが被投影体に投影された領域内の指定された一部領域以外の領域に含まれるように配信データを縮小して投影装置に出力する。
【００４３】
好ましくは、書込入力領域確保手段は、予め設けられた複数の書込入力領域画像データの選択が可能な候補選択画面を操作画面に表示する候補選択画面表示手段と、候補選択画面表示手段で表示された複数の書込入力領域画像データのうちの１つの選択入力を受け付ける選択入力受付手段と、選択入力受付手段により選択入力された書込入力領域画像データと配信データとを合成処理して投影装置に出力する書込入力領域合成手段とを含む。
【００４４】
好ましくは、データ配信装置は、被投影体に書込入力領域が確保された後、被投影体に表示されている画像を撮像した別の取得画像の入力を受け、書込画像抽出手段は、別の取得画像に基づいて被投影体の書込入力領域内に書込入力した画像を抽出し、書込画像抽出手段により抽出された被投影体の書込入力領域内に書込入力した第２の書込画像データと、配信データとを合成するための書込データ合成手段をさらに備える。
【００４５】
特に、書込データ合成手段は、指定された一部領域に第２の書込画像データが表示され、指定された一部領域以外の領域に縮小された配信データが表示されるように合成処理する。
【００４６】
特に、書込データ合成手段は、指定された一部領域に第２の書込画像データが表示され、表示装置の表示領域内に表示された配信データのうち指定された一部領域以外の領域に対応して配信データが表示されるように合成処理する。
【００４７】
特に、配信データは、ページ毎に分けられ、順番に配信される複数のページデータで構成され、書込データ合成手段は、書込画像抽出手段により抽出された被投影体に書込入力した第２の書込画像データと、ページデータとを合成処理する。
【００４８】
特に、配信データは、ページ毎に分けられ、順番に配信される複数のページデータで構成され、書込データ合成手段は、配信するページデータの切替指示に応答して書込画像抽出手段により抽出された被投影体に書込入力した第２の書込画像データと、ページデータとを合成処理する。
【００４９】
特に、書込データ合成手段は、書込画像抽出手段により被投影体に書込入力した第２の書込画像データが抽出されてから、所定期間内に書込入力領域内に書込入力した別の書込画像データの抽出が無い場合には、第２の書込画像データと、配信データとを合成処理する。
【００５０】
特に、別の取得画像に基づいて、投影装置と被投影体との間の撮像範囲に含まれる書込入力を行う人の手を認識する手認識手段をさらに備え、書込データ合成手段は、手認識手段による手の認識結果に基づいて、被投影体の書込入力領域内に書込入力された第２の書込画像データと、配信データとを合成する。
【００５１】
特に、被投影体に設けられた被投影体に書込入力された画像を消去するための消去装置を制御する消去制御手段をさらに備える。
【００５２】
特に、配信データは、ページ毎に分けられ、順番に配信される複数のページデータで構成され、消去制御手段は、配信するページデータの切替指示に応答して消去装置に対して被投影体に書込入力された画像の消去を指示する。
【００５３】
本発明に係るデータ配信方法は、表示装置に表示する配信データを出力するデータ配信方法であって、表示装置の表示領域内において、指定入力された位置に応じた座標データの入力を受け付けるステップと、入力を受け付けた座標データに基づいて表示装置の表示領域内に書込入力した画像を表示するように第１の書込画像データを表示装置に出力するステップと、第１の書込画像データに基づいて表示装置の表示領域内の一部領域が指定されたかどうかを判断するステップと、判断するステップにより、表示装置の表示領域内の一部領域が指定されたと判断された場合には、指定された一部領域を書込入力領域として確保するために配信データを加工編集して表示装置に出力するステップとを備える。
【００５４】
本発明に係るデータ配信プログラムは、表示装置に表示する配信データを出力するデータ配信装置のコンピュータに、表示装置の表示領域内において、指定入力された位置に応じた座標データの入力を受け付けるステップと、入力を受け付けた座標データに基づいて表示装置の表示領域内に書込入力した画像を表示するように第１の書込画像データを表示装置に出力するステップと、第１の書込画像データに基づいて表示装置の表示領域内の一部領域が指定されたかどうかを判断するステップと、判断するステップにより、表示装置の表示領域内の一部領域が指定されたと判断された場合には、指定された一部領域を書込入力領域として確保するために配信データを加工編集して表示装置に出力するステップとを実行させる。
【００５５】
本発明に係る別のデータ配信方法は、被投影体に投影する配信データを投影装置に出力するデータ配信方法であって、被投影体に表示されている画像を撮像した取得画像に基づいて被投影体に投影された領域に含まれる被投影体に書込入力した画像を抽出するステップと、抽出された被投影体に書込入力した第１の書込画像データに基づいて被投影体に投影された配信データの一部領域が指定されたかどうかを判断するステップと、判断するステップにより、被投影体に投影された配信データの一部領域が指定されたと判断された場合には、指定された一部領域を書込入力領域として確保するために配信データを加工編集して投影装置に出力するステップとを備える。
【００５６】
本発明に係る別のデータ配信プログラムは、被投影体に投影する配信データを投影装置に出力するデータ配信装置のコンピュータに、被投影体に表示されている画像を撮像した取得画像に基づいて被投影体に投影された領域に含まれる被投影体に書込入力した画像を抽出するステップと、抽出された被投影体に書込入力した第１の書込画像データに基づいて被投影体に投影された配信データの一部領域が指定されたかどうかを判断するステップと、判断するステップにより、被投影体に投影された配信データの一部領域が指定されたと判断された場合には、指定された一部領域を書込入力領域として確保するために配信データを加工編集して投影装置に出力するステップとを実行させる。
【発明の効果】
【００５７】
本発明に係るデータ配信システムは、表示装置の表示領域内の一部領域が指定されたと判断された場合には、指定された一部領域を書込入力領域として確保するために配信データが加工編集されて表示装置に出力されるため、表示装置やホワイトボード等の被投影体に配信データが表示されている場合において、書込入力を実行する領域を確保してユーザの利便性を向上させることが可能である。
【発明を実施するための最良の形態】
【００５８】
以下、図面を参照しつつ本発明の実施の形態１について説明する。以下の説明において同一の部品および構成要素には同一の符号を付してある。それらの名称および機能も同一であるものとする。
【００５９】
（実施の形態１）
図１は、本発明の実施の形態１に従う会議システム（データ配信システム）の関係を説明する図である。
【００６０】
図１を参照して、本発明の実施の形態１に従う会議システム１においては、ＭＦＰ（Multi Function Peripheral）１０と、表示装置１０１とを備える。なお、ＭＦＰ１０は、コピー機能、プリンタ機能、ファックス機能等を備えた多機能デジタル複合機である。
【００６１】
本発明の実施の形態１に従う会議システム１においては、ＭＦＰ１０と表示装置１０１とが互いに接続され、ＭＦＰ１０に格納されている配信データが表示装置１０１に出力されて表示装置１０１の表示領域１０２内に配信データが表示される。すなわち、ＭＦＰ１０は、データ配信装置である。
【００６２】
また、表示装置１０１には、図示しないがタッチパネルが設けられており、タッチペン１０５により指定された座標データに基づいて、タッチペン１０５のタッチした軌跡に応じて表示装置１０１の表示領域１０２内において描画動作を実行可能であるものとする。
【００６３】
具体的には、後述するが、ＭＦＰ１０のＣＰＵを用いてホワイトボードソフトが起動され、ホワイトボード機能により描画動作（書込入力）を実行可能であるものとする。
【００６４】
図２は、本発明の実施の形態１に従う会議システム１のＭＦＰ１０および表示装置１０１の概略ブロック構成図である。
【００６５】
図２を参照して、本発明の実施の形態１に従うＭＦＰ１０は、格納されている配信データを表示装置１０１に出力する。
【００６６】
表示装置１０１は、画像入力端子２０８と、入力系画像信号処理部２０９と、解像度変換部２１０と、出力系画像処理部２１２と、画像表示部２１３と、タッチパネル２１５と、タッチパネル座標位置検出手段２１４とを含む。
【００６７】
入力系画像信号処理部２０９は、画像入力端子２０８から入力された入力信号（画像データ）がアナログ信号であれば入力した画像信号に対して所定の振幅やＤＣレベルの調整や、デジタル信号への変換を行ない、また、デジタル信号であれば所定の信号レベルへの変換やカラーフォーマットへの変換等の信号処理を実行する。
【００６８】
解像度変換部２１０は、入力系画像信号処理部で処理された画像信号の解像度やフレームレートの変換等を実行する。
【００６９】
出力系画像処理部２１２は、画像表示部２１３を構成するデバイスに適したガンマ処理や分割駆動などの信号処理を実行する。
【００７０】
画像表示部２１３は、液晶表示装置、ＣＲＴ（Cathode Ray Tube）管、あるいはプラズマディスプレイパネル（ＰＤＰ）等のデバイスとその駆動回路や光源と照射光学系から構成される。
【００７１】
タッチパネル２１５は、表示装置１０１の表示領域１０２と対応付けて配置されており、たとえば抵抗膜方式のタッチパネルが用いられる。ただし、タッチパネル２１５は、抵抗膜方式に限らず、任意の押圧式のタッチパネルを用いることが可能である。
【００７２】
タッチパネル座標位置検出手段２１４は、表示装置１０１の表示領域１０２に設けられたタッチパネルにおける座標位置を検出してＭＦＰ１０に座標データを出力する。
【００７３】
当該座標データは、ＭＦＰ１０の座標データ入力手段に出力される。
次に、ＭＦＰ１０の概略ブロック図について説明する。
【００７４】
本発明の実施の形態１に従うＭＦＰ１０は、メイン回路２０と、自動原稿搬送装置４０と、原稿読取部５０と、画像形成部６０と、給紙部７０と、操作パネル８０と、ファクシミリ部２７と、座標データ入力手段９０と、リモコン検知部３５とを備える。なお、ＭＦＰ１０には、リモコン４５が設けられており、操作パネル８０とは別にリモコン４５の操作指示に従って所定の機能の実行指示が可能であるものとする。
【００７５】
メイン回路２０は、中央演算装置（ＣＰＵ（Central Processing Unit））２５と、図示しないＬＡＮとの間でデータの授受を実行するためのネットワークインターフェイス（Ｉ／Ｆ）部２１と、ＭＦＰ１０における所定の機能を実行するための種々のソフトウェアプログラムが格納されたＲＯＭ（Read Only Memory）２２と、ＣＰＵ２５の作業領域等として用いられるＲＡＭ（Random Access Memory）２３と、大容量記憶装置としてのＨＤＤ（Hard disc drive）２６と、外部記憶装置であるフラッシュメモリ３０と接続して、当該メモリとのデータの授受を実行するためのカードインターフェイス（Ｉ／Ｆ）２８と、表示装置１０１の画像入力端子２０８に配信データ等を出力する画面表示装置Ｉ／Ｆ部２９と、画像メモリ９２，９４，９６とを含む。
【００７６】
ＣＰＵ２５は、ネットワークＩ／Ｆ部２１、ＲＯＭ２２、ＲＡＭ２３、ＨＤＤ２６、カードＩ／Ｆ２８、画面表示装置Ｉ／Ｆ部２９と、画像メモリ９２，９４，９６とそれぞれ接続されてメイン回路２０全体を制御する。なお、本発明の実施の形態に従う会議システムで配信される配信データは、ＨＤＤ２６に予め格納されているものとする。
【００７７】
自動原稿搬送装置４０は、図示しないＭＦＰ１０の原稿台に載置された原稿を１枚ずつ順に、画像読取部５０に搬送する。
【００７８】
原稿読取部５０は、自動原稿搬送装置４０から搬送された原稿から写真、文字、絵等の画像情報を光学的に読み取って画像データを取得する。
【００７９】
画像形成部６０は、シアン、マゼンタ、イエローおよびブラックの４色のトナーを用いてカラーの画像を形成する。また、シアン、マゼンタ、イエローおよびブラックのいずれか１色のトナーを用いてモノクロの画像を形成する。
【００８０】
給紙部７０は、用紙を格納しており、格納した用紙を１枚ずつ画像形成部６０に供給する。
【００８１】
操作パネル８０は、表示部８２と、操作部８４とを含む。
表示部８２は、液晶表示装置（ＬＣＤ）、有機ＥＬＤ（Electro Luminescence Display）等のディスプレイであり、ユーザに対する指示メニューや取得した画像データに関する情報等を表示する。操作部８４は、複数のキーを備え、キー操作に対応するユーザの操作による各種の指示、文字、数字等のデータ入力を受け付ける。操作部８４は、表示部８２上に設けられたタッチパネルを含む。表示部８２と操作部８４とで、操作パネル８０が構成される。また、図示しないが、操作部８４には、ＨＤＤ２６に格納されたデータにアクセスすることが可能なボックスボタンが設けられているものとする。また、操作パネルの操作部８４においては、配信データの配信処理が実行されている場合には、図示しないが後述する配信データのページの切り替えを指示する切替指示ボタンが設けられているものとする。なお、当該切替指示ボタンをリモコン４５に設けることも可能である。また、操作パネルの操作部８４においては、配信データの配信処理が実行されている場合には、図示しないが後述する書込入力の合成処理の実行を指示する合成ボタンが設けられているものとする。なお、当該合成ボタンをリモコン４５に設けることも可能である。また、操作パネルの操作部８４においては、配信データの配信処理が実行されている場合には、図示しないが後述する書込入力の消去処理の実行を指示する消去ボタンが設けられているものとする。なお、当該消去ボタンをリモコン４５に設けることも可能である。
【００８２】
ファクシミリ部２７は、公衆交換電話網（ＰＳＴＮ）と接続され、ファクシミリデータを送信する。また、ＰＳＴＮからファクシミリデータを受信する。ファクシミリ部２７において受信したファクシミリデータは、ＣＰＵ２５によりＨＤＤ２６に格納される。また、画像形成部６０は、ＣＰＵ２５の指示によりＨＤＤ２６に格納されたファクシミリデータを用紙にプリントする。
【００８３】
座標データ入力手段９０は、表示装置１０１のタッチパネル座標位置検出手段２１４からの座標データの入力を受けて、ＣＰＵ２５に出力する。
【００８４】
リモコン検知部３５は、外部のリモコン４５からの操作信号を受信して、当該操作信号に対応した指示をＣＰＵ２５に出力する。
【００８５】
ＣＰＵ２５は、自動原稿搬送装置４０、原稿読取部５０、画像形成部６０、給紙部７０、操作パネル８０と、ファクシミリ部２７、リモコン検知部３５とそれぞれ接続されて、ＭＦＰ１０全体を制御する。
【００８６】
また、本実施の形態１に従うデータ配信システムにおいては、表示装置１０１に書込入力を実行するためのホワイトボード機能がＭＦＰ１０と表示装置１０１とで実現される。具体的には、ＲＯＭ２２に格納されたホワイトボードソフトをＣＰＵ２５により起動することによりホワイトボード機能が実行される。その場合、ＨＤＤ２６に格納された配信データは、一旦画像メモリ９４に格納される。また、ホワイトボード機能により表示装置１０１に表示される書込入力した書込画像データは、画像メモリ９６に格納される。そして、ＣＰＵ２５は、画像メモリ９４に格納された配信データと、画像メモリ９６に格納された書込画像データとを合成処理して画像メモリ９２に出力する。そして、画像メモリ９２に格納された合成処理されたデータが画面表示装置Ｉ／Ｆ部２９により表示装置１０１に出力される。
【００８７】
次に、ＭＦＰ１０における配信データの配信処理について説明する。
上述したように、本例においては、一例としてＭＦＰ１０のＨＤＤ２６に本発明の実施の形態１に従う会議システムにおける配信データが格納されているものとする。
【００８８】
そして、上述したように、操作部８４にＨＤＤ２６にアクセスすることが可能なボックスボタンが設けられており、当該ボックスボタンを選択することにより、ＨＤＤ２６に格納されたデータにアクセスするための選択画面等が表示されるものとする。
【００８９】
図３は、ボックスボタンを選択した場合のボックス選択画面を説明する図である。
図３を参照して、ここでは、ボックス（ＢＯＸ）選択画面６００において、予め設けられた会議ボックス（ＢＯＸ）あるいは個人ボックス（ＢＯＸ）のいずれかに対してアクセスすることが可能な会議ボックスボタン６０２と、個人ボックスボタン６０４とが設けられている。なお、キャンセルボタン６０６を選択することにより、ボックス選択画面が終了して初期画面に戻るものとする。なお、会議ボックス、個人ボックスは、ＨＤＤ２６の所定の記憶領域により構成される。
【００９０】
ここで、会議ボックスボタン６０２を選択することにより、ハードディスク（ＨＤＤ）２６に格納されている会議ボックスデータにアクセスすることが可能である。また、個人ボックスボタン６０４を選択することにより個人ボックスデータにアクセスすることが可能となる。なお、本例においては、操作部８４は、表示部８２上に設けられたタッチパネルを含むため、当該ボタンを指で押下することにより選択されるものとする。なお、指でなくてもタッチペン等であっても良い。以下においても同様である。
【００９１】
図４は、図３において会議ボックスボタンを押下した場合の会議ファイル選択画面を説明する図である。
【００９２】
図４を参照して、会議ファイル選択画面６１０において、本例においては一例として会議ファイルＦＡ，ＦＢ，ＦＣの３つがそれぞれ選択可能な状態として示されている。具体的には、会議ファイルＦＡ選択ボタン６１２、会議ファイルＦＢ選択ボタン６１４、会議ファイルＦＣ選択ボタン６１６が設けられている。なお、キャンセルボタン６１８を選択することにより、会議ファイル選択画面が終了して初期画面に戻るものとする。
【００９３】
ここで、ユーザは、会議ファイル選択画面６１０において、会議ファイルＦＡ選択ボタン６１２、会議ファイルＦＢ選択ボタン６１４、会議ファイルＦＣ選択ボタン６１６のいずれかを選択することにより、次の会議ファイル処理選択画面が表示される。
【００９４】
図５は、会議ファイル処理選択画面を説明する図である。
図５を参照して、会議ファイル処理選択画面６２０において、本例においては、会議ファイルＦＡに対する処理を選択する選択ボタンがそれぞれ設けられている。具体的には、配信処理ボタン６２２、印刷処理ボタン６２４、送信処理ボタン６２６がそれぞれ選択可能な状態として示されている。配信処理ボタン６２２を選択することにより、会議ファイルＦＡに対するデータ配信処理の実行が指示されるものとする。また、印刷処理ボタン６２４を選択することにより会議ファイルＦＡに対する印刷処理の実行が指示されるものとする。また、送信処理ボタン６２６を選択することにより会議ファイルＦＡに対する送信処理の実行が指示されるものとする。なお、キャンセルボタン６２８を選択することにより、会議ファイル処理選択画面が終了して初期画面に戻るものとする。
【００９５】
本実施の形態においては、ユーザは、一例として、配信処理ボタン６２２を選択して、ボックス（ＢＯＸ）に格納されたデータのデータ配信処理（以下、ボックス配信処理とも称する）の実行を指示する場合について説明する。なお、一例として、ここでは、会議ファイルＦＡのボックス配信処理について説明するものとする。また、会議ファイルＦＡは、複数ページで構成されるファイルデータであるものとする。また、上述したホワイトボード機能が実行されているものとする。
【００９６】
図６は、本発明の実施の形態１に従うＭＦＰ１０におけるボックス（ＢＯＸ）配信処理の起動を説明するフロー図である。
【００９７】
かかるフロー図に示される処理は、ＭＦＰ１０のＣＰＵ２５がＲＯＭ２２に格納された所定のプログラムを実行することにより実現される。以下、ＭＦＰ１０のＣＰＵ２５により実行される処理のフロー図においても同様である。
【００９８】
図６を参照して、まずＣＰＵ２５は、ボックス（ＢＯＸ）配信処理コマンドの入力が受付けられたかどうかを判断する（ステップＳ１）。具体的には、一例として会議ファイル処理選択画面６１０において、配信処理ボタン６２２が押下されたかどうかを判断する。
【００９９】
次に、ＣＰＵ２５は、ボックス（ＢＯＸ）配信処理を実行する（ステップＳ１０）。
図７は、本発明の実施の形態１に従うボックス配信処理を説明するフロー図である。
【０１００】
図７を参照して、まず先頭ページを取得する（ステップＳ１１）。具体的には、ＣＰＵ２５は、選択された会議ファイルＦＡについて会議ファイルＦＡを構成する複数ページのうちの最初の先頭ページのデータをＨＤＤ２６から読出す。そして、読み出したデータを画像メモリ９４に格納する。
【０１０１】
そして、次にＣＰＵ２５は、取得したページを表示装置１０１に配信する（ステップＳ１２）。具体的には、ＣＰＵ２５は、画像メモリ９４に格納された先頭ページのデータを配信データとして、画像メモリ９２に格納する。
【０１０２】
そして、画面表示装置Ｉ／Ｆ部２９は、画像メモリ９２に格納された配信データを表示装置１０１に出力する。これにより、画面表示装置Ｉ／Ｆ部２９から出力された配信データは、表示装置１０１の画像入力端子２０８に入力され、表示領域１０２に表示されることになる。
【０１０３】
図８は、本発明の実施の形態１に従う表示装置１０１の表示領域１０２内に表示された画像２００を説明する図である。
【０１０４】
図８を参照して、ここでは、まだ書込入力が実行されていない場合が示されている。すなわち、表示装置１０１の表示領域内において配信データが表示されている場合が示されている。
【０１０５】
再び、図７を参照して、次に、ＣＰＵ２５は、書込入力があったかどうかを判断する（ステップＳ１３）。
【０１０６】
具体的には、タッチペン１０５のタッチに従って、表示装置１０１のタッチパネル座標位置検出手段２１４から座標データ入力手段９０に対しての座標データの入力があったかどうかに基づいて判断する。
【０１０７】
ＣＰＵ２５は、ステップＳ１３において、書込入力があったと判断した場合には、書込画像データを取得する（ステップＳ１３＃）。具体的には、ＣＰＵ２５は、座標データの入力に基づいて、ホワイトボード機能により書込画像データを画像メモリ９６に格納する。
【０１０８】
なお、ＣＰＵ２５は、ホワイトボード機能が実行されている場合には、画像メモリ９６に格納された書込画像データと画像メモリ９４に格納された配信データとを合成処理して画像メモリ９２に出力する。そして、画像メモリ９２に格納された合成処理された画像データが画面表示装置Ｉ／Ｆ部２９により表示装置１０１に出力される。これによりタッチペン１０５のタッチした軌跡に応じて表示装置１０１の表示領域１０２内において描画動作が実行される。
【０１０９】
そして、次に、ＣＰＵ２５は、取得した書込画像データに基づいて、書込入力した書込画像は手書きによる領域指定画像かどうかを判断する（ステップＳ１４）。具体的には、ＣＰＵ２５は、画像メモリ９６に格納された書込入力した書込画像データについて、所定の大きさ以上の画像領域を囲む線画像が含まれているか否かに基づいて判断することが可能である。
【０１１０】
図９は、本発明の実施の形態１に従う表示装置１０１の表示領域１０２内に表示された画像２０１を説明する図である。
【０１１１】
図９を参照して、ここでは、手書きによる領域指定である書込入力が実行された場合が示されている。
【０１１２】
具体的には、タッチペン１０５の軌跡に従って、所定の大きさ以上の画像領域を囲むようにして描かれた線画像１１０が示されており、ＣＰＵ２５は、書込入力した書込画像データについて、手書きによる領域指定画像であると判断する。
【０１１３】
再び図７を参照して、ステップＳ１４において、ＣＰＵ２５は、取得した書込画像データに基づいて、書込入力した書込画像が手書きによる領域指定画像であると判断した場合には、次に指定書込領域表示処理を実行する（ステップＳ１８）。指定書込領域表示処理については後述する。
【０１１４】
一方、ステップＳ１４において、ＣＰＵ２５は、取得した書込画像データに基づいて、書込入力した書込画像が手書きによる領域指定画像ではないと判断した場合には、次に、書込入力した書込画像はポイントによる領域指定画像かどうかを判断する（ステップＳ１５）。具体的には、ＣＰＵ２５は、画像メモリ９６に格納された書込入力した書込画像データについて、所定形状のポイントが複数個含まれた画像か否かに基づいて判断することが可能である。例えば、円形状のポイントが４個含まれているか否か等を指標とすることが可能である。
【０１１５】
図１０は、本発明の実施の形態１に従う表示装置１０１の表示領域１０２内に表示された画像２０２を説明する図である。
【０１１６】
図１０を参照して、ここでは、ポイントによる領域指定である書込入力が実行された場合が示されている。
【０１１７】
具体的には、タッチペン１０５の軌跡に従って、所定形状のポイント、ここでは、領域を囲むようにして円形状のポイントが４個描かれている場合が示されている。具体的には、ポイント１１１，１１２，１１３，１１４によりある所定の画像領域を囲むように指定されている場合が示されており、ＣＰＵ２５は、画像メモリ９６に格納された書込入力した書込画像データについて、ポイントによる領域指定画像であると判断する。なお、ここでは、円形状のポイントについて説明したが、特に円形状に限られず、三角形でも良いし、四角形でも良いし、何らかの識別可能なポイントであれば何でも良い。
【０１１８】
再び図７を参照して、ステップＳ１５において、ＣＰＵ２５は、書込入力した書込画像はポイントによる領域指定画像であると判断した場合には、ポイントの認識処理を実行する（ステップＳ１６）。具体的には、ＣＰＵ２５は、画像メモリ９６に格納された書込入力した書込画像データについて、円形状のポイントの座標位置データを抽出する。
【０１１９】
そして、次にＣＰＵ２５は、ステップＳ１６においてポイントの認識処理を実行した後、次に認識したポイントを頂点とした領域指定画像を作成する（ステップＳ１７）。具体的には、認識した円形状のポイントの座標位置データに基づいて、４個のポイントを頂点として仮想的に所定の画像領域を囲むように描かれる線画像を形成する。例えば、図９で説明したような線画像１１０を仮想的に形成する。例えば、ＣＰＵ２５の作業領域等として用いられるＲＡＭ２３を用いて、当該処理を実行することが可能である。なお、４個のポイントを頂点として仮想的に所定の画像領域を囲むように描かれる線画像を形成して画像メモリ９６に格納することも可能である。
【０１２０】
そして、ステップＳ１８に進み、後述する指定書込領域表示処理を実行する。
そして、次に、ＣＰＵ２５は、ステップＳ１８における指定書込領域表示処理が実行された後、書込入力が有ったかどうかを判断する（ステップＳ１９）。具体的には、ＣＰＵ２５は、後述する指定書込領域に対して書込入力が有るかどうかを判断する。
【０１２１】
そして、ＣＰＵ２５は、書込入力が有ると判断した場合には、書込入力合成処理を実行する（ステップＳ２０）。書込入力合成処理については後述する。
【０１２２】
一方、ステップＳ１９において、ＣＰＵ２５は、書込入力が無いと判断された場合には、ステップＳ１３に戻る。
【０１２３】
そして、次に、ＣＰＵ２５は、ステップＳ２０における書込入力合成処理を実行した後、次ページ切替指示が有るかどうかを判断する（ステップＳ２１）。具体的には、操作パネル８０の操作部８４に設けられた切替指示ボタンが押下されたかどうかに基づいて判断する。あるいは、当該切替指示ボタンがリモコン４５に設けられている場合には、リモコン４５に設けられた切替指示ボタンの押下をリモコン検知部３５が検知して、ＣＰＵ２５が検知結果の入力をリモコン検知部３５から受けたか否かに基づいて判断することも可能である。
【０１２４】
ステップＳ２１において、ＣＰＵ２５は、次ページ切替指示が有ると判断した場合には、ステップＳ２２に進み、現在最終ページかどうかを判断する（ステップＳ２２）。
【０１２５】
ステップＳ２２において、ＣＰＵ２５は、現在最終ページで無いと判断した場合には次ページを取得する（ステップＳ２３）。そして、次に、ステップＳ１２に戻り、次ページにおける配信処理を実行する。そして、上述の処理を繰り返し、ＣＰＵ２５は、再び、ステップＳ２２において、現在最終ページとなった場合にはボックス配信処理を終了する（エンド）。
【０１２６】
一方、ステップＳ１５において、ポイントによる領域指定画像ではないと判断された場合には、ステップＳ２１に進む。
【０１２７】
そして、次に、ＣＰＵ２５は、次ページの切換指示が有るかどうかを判断する（ステップＳ２１）。具体的には、操作パネルの操作部８４において切替指示ボタンが押下されたかどうかに基づいて判断する。
【０１２８】
そして、ステップＳ２１において、ＣＰＵ２５は、次ページの切替指示があった場合には、次のステップＳ２２に進み、現在最終ページかどうかを判断する（ステップＳ２２）。以降の処理は、同様であるのでその詳細な説明は繰り返さない。
【０１２９】
ステップＳ２２において、次ページの切替指示が無かった場合には、ステップＳ１３に戻る。
【０１３０】
したがって、配信されたページについて、書込入力が無かった場合、あるいは、領域指定画像で無い書込入力が実行された場合には、ステップＳ１８における指定書込領域表示処理は実行されず、次ページの切替指示に従って、ステップＳ２２に進む。
【０１３１】
図１１は、本発明の実施の形態１に従う指定書込領域表示処理について説明するフロー図である。
【０１３２】
図１１を参照して、ＣＰＵ２５は、まず指定書込領域の確認画面を表示する（ステップＳ３０）。
【０１３３】
図１２は、指定書込領域確認画面を説明する図である。
図１２（ａ）を参照して、ここでは、操作パネルの表示部８２において、指定された書込領域を領域内か領域外か選択する指定書込領域確認画面が表示されている。
【０１３４】
指定書込領域確認画面として、ＣＰＵ２５は、上述した領域指定画像と画像メモリ９４に格納された配信データとに基づいて書込領域確認画像３００を生成して、操作パネルの表示部８２に表示した場合が示されている。具体的には、配信データの画像について、図９で説明した線画像１１０で囲まれる領域３０６内が表示されず、その領域外が表示されている場合が示されている。すなわち、この場合には、指定された書込領域は、領域３０６内である。
【０１３５】
そして、本例においては、「領域外を表示」ボタン３０４が選択状態として指定されている場合が示されている。
【０１３６】
一方、「領域内を表示」ボタン３０２を選択することにより、図１２（ｂ）に示される画面が表示される。
【０１３７】
図１２（ｂ）を参照して、ここでは、指定書込領域確認画面として、ＣＰＵ２５は、上述した領域指定画像と画像メモリ９４に格納された配信データとに基づいて書込領域確認画像３００＃を生成して、操作パネルの表示部８２に表示した場合が示されている。具体的には、配信データの画像について、図９で説明した線画像１１０で囲まれる領域３０６＃を表示し、その領域外が表示されない場合が示されている。すなわち、この場合には、指定された書込領域は、領域３０６＃外である。
【０１３８】
そして、本例においては、「領域内を表示」ボタン３０２が選択状態として指定されている場合が示されている。なお、図１２（ｂ）において、「領域外を表示」ボタン３０４を選択することにより、図１２（ａ）に示される画面が表示される。
【０１３９】
ここで、「設定画面へ」ボタン３１２を押下することにより、書込に関する種々の各種設定処理を実行することが可能である。書込に関する各種設定画面については、後述する。
【０１４０】
なお、ここで「Cancel」ボタン３０８を選択することにより、当該指定書込領域の表示処理が終了し、指定がされなかったものとして取扱われる。この場合、図７のステップＳ１９において、ＣＰＵ２５は、書込入力が無いと判断し、指定書込領域は確保されず、ステップＳ１３に戻る。
【０１４１】
一方、指定書込領域確認画面の「ＯＫ」ボタン３１０を選択することにより当該指定書込領域確認画面で表示された画像が表示装置１０１に表示される。
【０１４２】
再び、図１１を参照して、ＣＰＵ２５は、次に指定書込領域「ＯＫ」が入力されたかどうかを判断する（ステップＳ３１）。具体的には、上述したように指定書込領域確認画面の「ＯＫ」ボタン３１０が選択されたかどうかにより判断する。
【０１４３】
ステップＳ３１において、指定書込領域として「ＯＫ」が入力されたと判断された場合には、ＣＰＵ２５は、書込領域パターンリスト表示確認画面を表示する（ステップＳ３２）。書込領域パターンリスト表示確認画面については後述する。
【０１４４】
一方、ステップＳ３１において、指定書込領域として「ＯＫ」ボタンが入力されなかった場合には、次に、ＣＰＵ２５は、指定書込領域として変更入力があったかどうかを判断する（ステップＳ３８）。具体的には、たとえば図１２（ａ）において、「領域内を表示」ボタン３０２が選択されたかどうかを判断する。あるいは、図１２（ｂ）において、「領域外を表示」ボタン３０４が選択されたかどうかを判断する。
【０１４５】
ステップＳ３８において、指定書込領域として変更入力があった場合には、ＣＰＵ２５は、操作パネルの表示部８２に変更した指定書込領域確認画面を表示する（ステップＳ３９）。具体的には、上述したように、たとえば図１２（ａ）において、「領域内を表示」ボタン３０２を選択した場合には、図１２（ｂ）の指定書込領域確認画面が表示される。一方、図１２（ｂ）において、「領域外を表示」ボタン３０４を選択した場合には、図１２（ａ）の指定書込領域確認画面が表示される。
【０１４６】
一方、ステップＳ３８において、ＣＰＵ２５は、指定書込領域の変更入力がなかった場合、具体的には、「Cancel」ボタン３０８を押下した場合には、指定書込領域の表示処理を終了する。
【０１４７】
次に、書込領域パターンリスト表示確認画面について説明する。
図１３は、本発明の実施の形態１に従う書込領域パターンリスト表示確認画面を説明する図である。
【０１４８】
図１３を参照して、操作パネルの表示部８２において、予めＨＤＤ２６に格納されている書込領域パターンを選択するか否かの画面３１５が示されている。ここで、「ＯＫ」ボタン３１６を押下することにより、書込領域パターンリスト画面が表示される。
【０１４９】
一方、「Cancel」ボタン３１４が選択されることにより、書込領域パターンリストの表示指示はなかったものとして、次のステップに進む。
【０１５０】
再び、図１１を参照して、ＣＰＵ２５は、書込領域パターンリスト表示確認画面表示（ステップＳ３２）の後、書込領域パターンリスト表示指示が有るかどうかを判断する（ステップＳ３３）。
【０１５１】
ステップＳ３３において、書込領域パターンのリストの表示指示があった場合、具体的には、図１３において「ＯＫ」ボタン３１６が選択された場合には、ＣＰＵ２５は、書込領域パターンリスト画面を表示する（ステップＳ３５）。
【０１５２】
一方、ステップＳ３３において、書込領域パターンのリストの表示指示がなかった場合、具体的には、図１３において「Cancel」ボタン３１４が選択された場合には、指定書込領域を確保して原画像データ（配信データ）の加工編集処理を実行する（ステップＳ３４）。
【０１５３】
そして、合成データを表示する（ステップＳ９０）。
そして処理を終了する（エンド）。
【０１５４】
図１４は、本発明の実施の形態１に従う指定書込領域を確保した原画像データを加工編集処理した合成データを表示した場合を説明する概念図である。
【０１５５】
図１４（ａ）を参照して、ここでは、ＭＦＰ１０のＢＯＸ内に原画像データ（配信データ）が格納されている場合が示されており、表示装置１０１に、原画像データに対して指定書込領域を確保した合成データを表示装置１０１に表示する場合が示されている。
【０１５６】
そして、本例においては、図１２（ｂ）の指定書込領域確認画面において、「ＯＫ」ボタン３１０が選択された場合における、合成データが表示されている。
【０１５７】
具体的には、図９において、線画像１１０で囲まれた領域について、ＣＰＵ２５は、取得した書込画像データに基づいて、書込入力した書込画像は手書きによる領域指定画像であると判断しているものとする。あるいは、図１０において、ポイント１１１〜１１４で囲まれた領域について、ＣＰＵ２５は、取得した書込画像データに基づいて、書込入力した書込画像はポイントによる領域指定画像であると判断しているものとする。
【０１５８】
そして、ＣＰＵ２５は、画像メモリ９４に格納されている配信データを取得して、判断した領域指定画像に基づいて領域指定画像内に対応する領域が表示されるように加工編集し、そして、領域指定画像外である指定書込領域については、何も表示しないデータとして、例えばｎｕｌｌデータとする。例えば、ＣＰＵ２５の作業領域等として用いられるＲＡＭ２３を用いて、当該処理を実行することが可能である。
【０１５９】
そして、ＣＰＵ２５は、加工編集された合成データを画像メモリ９２に格納する。
そして、画像表示装置Ｉ／Ｆ部２９により、画像メモリ９２に格納された、加工編集された合成データが表示装置１０１に出力され、表示装置１０１において、表示された場合が示されている。
【０１６０】
なお、ここでは、何も表示しないデータとして、ｎｕｌｌデータを格納する場合について説明したが、例えば、表示装置１０１がモノクロ画像ではなく、カラー画像を表示することが可能である場合には、所定の色を表示するデータを格納することも可能である。
【０１６１】
図１４（ｂ）を参照して、ここでは、ＭＦＰ１０のＢＯＸ内に原画像データ（配信データ）が格納されている場合が示されており、表示装置１０１に、原画像データに対して指定書込領域を確保した合成データを表示装置１０１に表示する場合が示されている。
【０１６２】
本例においても、図１２（ｂ）の指定書込領域確認画面において、「ＯＫ」ボタン３１０が選択された場合における、合成データが表示されている。
【０１６３】
また、ここでは、図１４（ａ）の合成データとは異なり、線画像１１０で囲まれた領域内に、原画像データ（配信データ）が表示されるように縮小処理し、それ以外の領域については、何も表示されない合成データが表示された場合が示されている。
【０１６４】
具体的には、図９において、線画像１１０で囲まれた領域について、ＣＰＵ２５は、取得した書込画像データに基づいて、書込入力した書込画像は手書きによる領域指定画像であると判断しているものとする。あるいは、図１０において、ポイント１１１〜１１４で囲まれた領域について、ＣＰＵ２５は、取得した書込画像データに基づいて、書込入力した書込画像はポイントによる領域指定画像であると判断しているものとする。
【０１６５】
そして、ＣＰＵ２５は、画像メモリ９４に格納されている配信データを取得して、判断した領域指定画像に基づいて領域指定画像内に配信データ全体が表示されるように配信データを縮小処理する加工編集を実行し、そして、領域指定画像外である指定書込領域については、何も表示しないデータとして、例えばｎｕｌｌデータとする。
【０１６６】
例えば、ＣＰＵ２５の作業領域等として用いられるＲＡＭ２３を用いて、当該処理を実行することが可能である。
【０１６７】
そして、ＣＰＵ２５は、加工編集された合成データを画像メモリ９２に格納する。
そして、画像表示装置Ｉ／Ｆ部２９により、画像メモリ９２に格納された、加工編集された合成データが表示装置１０１に出力され、表示装置１０１において、表示された場合が示されている。
【０１６８】
当該構成により、表示装置１０１において、指定書込領域が確保されることにより、ユーザは指定書込領域に対する書込入力を実行することができる。
【０１６９】
本発明の実施の形態に従う方式により、指定書込領域を確保することによって、表示装置１０１の領域全体に配信データが表示されているような場合に、表示装置１０１に書込入力をする場合、表示されている画像との重なりで、書込入力した内容が不明瞭となる可能性を回避することが可能である。
【０１７０】
また、本発明の実施の形態に従う方式により、指定書込領域を確保することによって、書込入力するスペースがなかったり、あるいは、書込入力するスペースとして、領域の隅に書く必要があったり等、書込入力するためのスペースの問題で適切な場所に書込入力を実行することができないという問題を解消して、ユーザの利便性を向上させ、会議の進行を容易にすることが可能となる。
【０１７１】
図１５は、本発明の実施の形態１に従う図１１のステップＳ３３における書込領域パターンリスト画面を説明する図である。
【０１７２】
図１５を参照して、操作パネル８０の表示部８２において、複数の書込領域パターン３２０で構成されるリストが表示されている。ここで、複数の書込領域パターン３２０は、予めＨＤＤ２６に格納されているものとする。
【０１７３】
ユーザは、操作パネル８０の表示部８２において、書込入力領域画像データとして、複数の書込領域パターン３２０の中からその１つを選択することが可能である。
【０１７４】
再び、図１１を参照して、書込領域パターンリスト画面を表示した後（ステップＳ３５）、書込領域パターンの選択が有ったかどうかを判断する（ステップＳ３６）。ステップＳ３６において、書込領域パターンの選択があった場合には、次に、指定書込領域に選択した書込領域パターンを合成して原画像データの加工編集処理を実行する（ステップＳ３７）。そして、合成データを表示する（ステップＳ９０）。
【０１７５】
一方、ステップＳ３６において書込領域パターンの選択がなかった場合には、ステップＳ３４に進む。ステップＳ３４以降の処理については、上述したのと同様であるのでその詳細な説明は繰り返さない。
【０１７６】
図１６は、本発明の実施の形態１に従う指定書込領域に選択した書込領域パターンを合成して原画像データを加工編集処理した合成データを表示した場合を説明する概念図である。
【０１７７】
図１６を参照して、ここでは、ＭＦＰ１０のＢＯＸ内に原画像データ（配信データ）が格納されている場合が示されており、表示装置１０１に、原画像データに対して指定書込領域を確保した合成データを表示装置１０１に表示する場合が示されている。
【０１７８】
本例においては、図１２（ｂ）の指定書込領域確認画面において、「ＯＫ」ボタン３１０が選択されるとともに、さらに、図１５の書込領域パターンリスト表示確認画面において、左端の書込入力パターン３２０が選択された場合の合成データが表示されている。
【０１７９】
具体的には、図９において、線画像１１０で囲まれた領域について、ＣＰＵ２５は、取得した書込画像データに基づいて、書込入力した書込画像は手書きによる領域指定画像であると判断しているものとする。あるいは、図１０において、ポイント１１１〜１１４で囲まれた領域について、ＣＰＵ２５は、取得した書込画像データに基づいて、書込入力した書込画像はポイントによる領域指定画像であると判断しているものとする。
【０１８０】
そして、ＣＰＵ２５は、画像メモリ９４に格納されている配信データを取得して、判断した領域指定画像に基づいて領域指定画像内に対応する領域が表示されるように加工編集し、そして、領域指定画像外については、選択した書込領域パターンである書込入力領域画像データが表示されるように縮小あるいは拡大処理する加工編集を実行する。
【０１８１】
例えば、ＣＰＵ２５の作業領域等として用いられるＲＡＭ２３を用いて、当該処理を実行することが可能である。
【０１８２】
そして、ＣＰＵ２５は、加工編集された合成データを画像メモリ９２に格納する。
そして、画像表示装置Ｉ／Ｆ部２９により、画像メモリ９２に格納された、加工編集された合成データが表示装置１０１に出力され、表示装置１０１において、表示された場合が示されている。
【０１８３】
なお、本例においては、図１５の書込領域パターンリスト表示確認画面において、左端の書込入力パターン３２０を選択した場合について説明しているが、これに限られず、他の書込入力パターンと合成することも可能である。
【０１８４】
また、本例においては、図１４（ａ）で説明した指定書込領域に書込入力パターンが合成表示された場合について説明したが、図１４（ｂ）で説明した指定書込領域に書込入力パターンを合成表示することも可能である。
【０１８５】
次に本発明の実施の形態１に従う指定書込領域に書込入力を実行した画像データを保存する処理について説明する。
【０１８６】
図１７には、本発明の実施の形態１に従う指定書込領域に書込入力を実行した書込画像データを原画像データ（配信データ）と合成してＭＦＰ１０のＢＯＸに保存する場合の概念図が示されている。
【０１８７】
図１８は、本発明の実施の形態１に従う書込入力の合成処理を説明するフロー図である。
【０１８８】
図１８を参照して、まず、ＣＰＵ２５は、書込入力の保存設定があるかどうかを判断する（ステップＳ４１）。
【０１８９】
図１９は、本発明の実施の形態１に従う各種設定画面を説明する図である。
具体的には、図１２の指定書込領域確認画面において、「設定画面へ」ボタン３１２を押下することにより、操作パネルの表示部８２において、書込に関する種々の各種設定処理を実行する各種設定画面に移行することが可能である。なお、操作パネルの表示部８２において、図１２の指定書込領域確認画面以外の画面に、各種設定画面に移行することが可能なように「設定画面へ」ボタン３１２を設けるようにすることも可能である。
【０１９０】
図１９を参照して、操作パネルの表示部８２において、「各種設定内容を変更してください」の表示とともに、書込入力保存の設定項目４００と、合成タイミングの設定項目４１０と、合成方法の設定項目４２０と、合成データの追加方法の設定項目４３０と、消去処理の設定項目４５０と、消去タイミングの設定項目４６０とがそれぞれ設けられている場合が示されている。
【０１９１】
ここで、書込入力保存の設定項目４００において、「する」ボタン４０２を選択することにより、書込入力保存の設定有りとなる。一方、「しない」ボタン４０４を選択することにより書込入力保存の設定が無しに設定される。
【０１９２】
また、合成タイミングの項目４１０において、「ページ切替」ボタン４１２を選択することにより、後述するが、合成タイミングはページ切替設定となる。また、「一定時間書込無し」ボタン４１４を選択することにより、合成タイミングは、一定時間書込無し設定となる。また、「合成ボタン指示」４１６を選択することにより、合成タイミングは合成ボタンの指示に設定される。
【０１９３】
合成方法の項目４２０において、「書込データ注釈合成」ボタン４２０を選択することにより、合成方法は、原画像データを縮小し、書込入力された書込画像データを注釈として合成処理する設定となる。また、「指定書込領域合成」ボタン４２４を選択することにより、合成方法は、指定書込領域をそのまま原画像データに合成処理する設定となる。
【０１９４】
合成データ追加方法の項目４３０において、「ページ追加」ボタン４３２を選択することにより、合成データ追加方法は、原画像データに対して合成した合成データをページ追加する設定となる。また、「独立に格納」ボタン４３４を選択することにより、合成データ追加方法は、合成データをＨＤＤ２６に独立に格納する設定となる。
【０１９５】
消去処理の項目４５０において、「する」ボタン４５２を選択することにより、消去処理の設定有りとなる。一方、「しない」ボタン４５４を選択することにより消去処理の設定無しに設定される。
【０１９６】
また、消去タイミングの項目４６０において、「ページ切替」ボタン４６２を選択することにより、後述するが、消去タイミングはページ切替設定となる。また、「消去ボタン指示」ボタン４６４を選択することにより、消去タイミングは、消去ボタンの指示に設定される。
【０１９７】
再び、図１８を参照して、ＣＰＵ２５は、ステップＳ４１において、書込入力の保存設定無しに設定されていると判断した場合には処理を終了する（エンド）。
【０１９８】
具体的には、上述したように、図１９の各種設定画面において、書込入力保存の設定項目４００において、「しない」ボタン４０４が選択されて、書込入力保存の設定が無しに設定されている場合には、処理を終了する。
【０１９９】
一方、ステップＳ４１において、ＣＰＵ２５は、書込入力の保存設定有りに設定されていると判断した場合、具体的には、上述したように、図１９の各種設定画面において、書込入力保存の設定項目４００において、「する」ボタン４０２が選択されて、書込入力保存の設定が有りに設定されている場合には、次に、合成タイミングがページ切換設定かどうかを判断する（ステップＳ４２）。
【０２００】
具体的には、図１９の各種設定画面において、合成タイミングの設定項目４１０において、「ページ切替」ボタン４１２が選択されて、合成タイミングは、ページ切替に設定されているか否かに基づいて判断される。
【０２０１】
ステップＳ４２において、ＣＰＵ２５は、合成タイミングがページ切換に設定されていると判断された場合には、ステップＳ４３に進み、ページ切替指示が入力されたかどうかを判断する（ステップＳ４３）。
【０２０２】
ステップＳ４３において、ＣＰＵ２５は、ページ切替指示が入力された場合には、合成処理を実行する（ステップＳ５０）。合成処理については後述する。
【０２０３】
一方、ステップＳ４２において、ＣＰＵ２５は、合成タイミングがページ切換に設定されていないと判断した場合には合成タイミングが一定時間書込無しに設定されているかどうかを判断する（ステップＳ４４）。
【０２０４】
具体的には、図１９の各種設定画面において、合成タイミングの設定項目４１０において、「一定時間書込無し」ボタン４１４が選択されて、合成タイミングは、一定時間書込無しに設定されているか否かに基づいて判断される。
【０２０５】
ステップＳ４４において、ＣＰＵ２５は、合成タイミングが一定時間書込無しに設定されていると判断した場合には、ステップＳ４５に進み、一定時間書込無しかどうかを判断する（ステップＳ４５）。具体的には、指定書込領域に対してタッチペンによる書込入力が実行されてから一定時間内に追加のタッチペンによる書込入力が無いか否かに基づいて判断することが可能である。
【０２０６】
ステップＳ４５において、ＣＰＵ２５は、一定時間書込無しと判断した場合には、合成処理を実行する（ステップＳ５０）。
【０２０７】
一方、ステップＳ４４において、ＣＰＵ２５は、合成タイミングが一定時間書込無しに設定されていないと判断した場合には、合成ボタンの指示があるかどうかを判断する（ステップＳ４７）。合成タイミングが、ページ切替設定でなく、また、一定時間書込無し設定でない場合には、合成タイミングは、合成ボタンの指示に設定されていると判断できるからである。
【０２０８】
ステップＳ４７において、ＣＰＵ２５は、合成ボタンの指示が有ると判断された場合には、合成処理を実行する（ステップＳ５０）。
【０２０９】
図２０は、本発明の実施の形態１に従う合成処理を説明するフロー図である。
図２０を参照して、まず、ＣＰＵ２５は、書込データ注釈合成処理の設定があるかどうかを判断する（ステップＳ５１）。
【０２１０】
具体的には、上述したように、図１９の各種設定画面において、合成方法の設定項目４２０において、「書込データ注釈合成」ボタン４２２が選択されて、合成方法は、原画像データを縮小し、書込入力された書込画像データを注釈として合成処理する設定となっているか否かを判断する。
【０２１１】
ステップＳ５１において、ＣＰＵ２５は、書込データ注釈合成処理の設定があると判断した場合には、原画像データを縮小して書込画像データの注釈合成処理を実行する（ステップＳ５２）。
【０２１２】
そして処理を終了する（リターン）。すなわち、再び、図１８に戻り、次に保存処理を実行する（ステップＳ６０）。保存処理については後述する。
【０２１３】
一方、ステップＳ５１において、ＣＰＵ２５は、書込データ注釈合成処理の設定がないと判断した場合には、指定書込領域の合成処理を実行する（ステップＳ５３）。合成方法が、書込データ注釈合成処理の設定がない場合には、合成方法は、指定書込領域をそのまま原画像データに合成処理する設定がなされていると判断できるからである。
【０２１４】
そして処理を終了する（リターン）。すなわち、再び、図１８に戻り、次に保存処理を実行する（ステップＳ６０）。
【０２１５】
図２１は、本発明の実施の形態１に従う書込画像データを原画像データと合成処理した場合を説明する図である。
【０２１６】
図２１（ａ）は、原画像データを縮小し、書込データを注釈コメントとして合成処理した場合が示されている。
【０２１７】
具体的には、図９において、線画像１１０で囲まれた領域内に、原画像データ（配信データ）が表示されるように縮小処理し、それ以外の領域である指定書込領域に書込入力された書込画像データについて加工編集されて、原画像データが縮小されることにより生じた空きスペースに注釈コメントとして合成処理を実行した合成データが表示された場合が示されている。
【０２１８】
具体的には、上述した図１４（ｂ）で示される如く、表示装置１０１には、指定書込領域が確保されて表示されているものとする。
【０２１９】
そして、ユーザが指定書込領域に対する書込入力を実行することにより、ＣＰＵ２５は、表示装置１０１に確保された指定書込領域に書込入力された書込画像データを画像メモリ９６に格納する。
【０２２０】
そして、ＣＰＵ２５は、合成処理する際、画像メモリ９４に格納されている配信データを取得して、判断した領域指定画像に基づいて領域指定画像内に配信データ全体が表示されるように配信データを縮小処理する加工編集を実行し、そして、指定書込領域に書込入力された書込画像データについては、原画像データが縮小されることにより生じる空きスペースに注釈コメントとして挿入されるように、書込画像データを加工編集処理して、合成する。例えば、ＣＰＵ２５の作業領域等として用いられるＲＡＭ２３を用いて、当該処理を実行することが可能である。
【０２２１】
図２１（ｂ）は、指定書込領域をそのまま原画像データに合成処理した場合が示されている。
【０２２２】
具体的には、図９において、線画像１１０で囲まれた領域については、原画像データ（配信データ）の対応する画像を表示し、それ以外の領域である指定書込領域に書込入力された書込画像データについてそのまま表示する合成処理を実行した合成データが表示された場合が示されている。
【０２２３】
具体的には、上述した図１４（ａ）で示される如く、表示装置１０１には、指定書込領域が確保されて表示されているものとする。
【０２２４】
そして、ユーザが指定書込領域に対する書込入力を実行することにより、ＣＰＵ２５は、表示装置１０１に確保された指定書込領域に書込入力された書込画像データを画像メモリ９６に格納する。
【０２２５】
そして、ＣＰＵ２５は、合成処理する際、画像メモリ９４に格納されている配信データを取得して、判断した領域指定画像に基づいて領域指定画像内に対応する領域が表示されるように加工編集し、そして、領域指定画像外である指定書込領域に書込入力された書込画像データと合成する。例えば、ＣＰＵ２５の作業領域等として用いられるＲＡＭ２３を用いて、当該処理を実行することが可能である。
【０２２６】
図２２は、本発明の実施の形態１に従う保存処理を説明するフロー図である。
図２２を参照して、まず、ＣＰＵ２５は、ページ追加の設定があるかどうかを判断する（ステップＳ６１）。具体的には、合成データ追加方法の項目４３０において、「ページ追加」ボタン４３２が選択されて、ページ追加の設定になっているかどうかを判断する。
【０２２７】
ステップＳ６１において、ＣＰＵ２５は、ページ追加の設定有りと判断した場合には、ページ追加の保存処理を実行する（ステップＳ６２）。
【０２２８】
具体的には、ＣＰＵ２５は、書込画像データを加工編集処理して、合成した合成データをＨＤＤ２６に格納されている配信データ、本例においては、会議ファイルＦＡのファイルデータに追加保存処理する。
【０２２９】
一方、ステップＳ６１において、ＣＰＵ２５は、ページ追加の設定無しと判断した場合には、ＨＤＤ保存処理を実行する（ステップＳ６３）。ここで、合成データ追加方法の項目４３０が、ページ追加の設定でない場合には、合成データ追加方法は、「独立に格納」ボタン４３４が選択されて、合成データをＨＤＤ２６に独立に格納する設定となっていると判断できるからである。
【０２３０】
具体的には、ＣＰＵ２５は、書込画像データを加工編集処理して、合成した合成データを配信データと独立して、ＨＤＤ２６に格納する。
【０２３１】
そして処理を終了する（リターン）。すなわち、再び、図１８に戻り、次に消去処理を実行する（ステップＳ１１０）。
【０２３２】
図２３は、本発明の実施の形態１に従うページ追加の保存処理を説明する図である。
図２３を参照して、ここでは、配信データである１２ページと１３ページとの間に新たにページ１２ａが追加された場合が示されており、本例においては、図２１（ａ）で説明した合成処理した合成データが追加されている場合が示されている。
【０２３３】
当該方式により、指定書込領域に入力した書込データを合成した合成データを追加して、配信処理において、確認することができる。
【０２３４】
また、合成データをＨＤＤ２６に独立に格納することにより、後で格納した合成データにアクセスして確認することも可能である。
【０２３５】
図２４は、本発明の実施の形態１に従う消去処理を説明するフロー図である。
図２４を参照して、まず、ＣＰＵ２５は、消去処理の設定があるかどうかを判断する（ステップＳ１１１）。
【０２３６】
ステップＳ１１１において、ＣＰＵ２５は、消去処理の設定が無いと判断した場合には、処理を終了する（エンド）。
【０２３７】
具体的には、図１９の各種設定画面において、消去処理の設定項目４５０において、「しない」ボタン４５４が選択されて、消去処理の設定が無しに設定されている場合には、処理を終了する。
【０２３８】
一方、ステップＳ１１１において、ＣＰＵ２５は、消去処理の設定があると判断した場合、具体的には、上述したように、図２８の各種設定画面において、消去処理の設定項目４５０において、「する」ボタン４５２が選択されて、消去処理の設定が有りに設定されている場合には、次に、消去タイミングがページ切換設定かどうかを判断する（ステップＳ１１２）。
【０２３９】
具体的には、図１９の各種設定画面において、消去タイミングの設定項目４６０において、「ページ切替」ボタン４６２が選択されて、消去タイミングは、ページ切替に設定されているか否かに基づいて判断される。
【０２４０】
ステップＳ１１２において、ＣＰＵ２５は、消去タイミングがページ切換の設定であると判断した場合には、ステップＳ１１３に進み、ページ切替の指示が入力されたかどうかを判断する（ステップＳ１１３）。ステップＳ１１３において、ＣＰＵ２５は、ページ切替の指示が入力されたと判断した場合には、消去処理を実行する（ステップＳ１１６）。
【０２４１】
一方、ステップＳ１１２において、ＣＰＵ２５は、消去タイミングがページ切換の設定でないと判断した場合には、消去ボタンの指示があるかどうかを判断する（ステップＳ１１５）。消去タイミングが、ページ切替の設定でない場合には、消去タイミングは、消去ボタンの指示に設定されていると判断できるからである。
【０２４２】
ステップＳ１１５において、ＣＰＵ２５は、消去ボタンの指示が有ると判断した場合には、消去処理を実行する（ステップＳ１１６）。具体的には、消去処理としては、ＣＰＵ２５は、画像メモリ９６に格納されている書込画像データを消去する。
【０２４３】
そして、ＣＰＵ２５は、復元処理を実行する（ステップＳ１１７）。具体的には、復元処理としては、ＣＰＵ２５は、画像メモリ９４に格納されている配信データを画像メモリ９２に格納する。これにより、一例として、表示装置１０１に書込入力が実行されていない図８で説明した画像２００が表示されることになる。
【０２４４】
そして処理を終了する（リターン）。
当該処理により、消去処理が終了して、図１８の書込入力合成処理が終了し、図７のステップＳ２１に進むことになる。
【０２４５】
したがって、書込入力を実行する前に復元することにより、元の状態に戻して、ユーザの利便性を向上させ、容易に会議の進行を進めることが可能である。
【０２４６】
（実施の形態２）
上記の実施の形態１においては、ＭＦＰ１０と表示装置１０１とが接続されて、ＭＦＰ１０のＨＤＤ２６に格納されている配信データを表示装置１０１に表示するデータ配信システムについて説明したが、本実施の形態２においては、プロジェクタを用いて配信データをホワイトボードに投影するデータ配信システムについて説明する。
【０２４７】
図２５は、本発明の実施の形態２に従う会議システム１＃（データ配信システム）の関係を説明する概略ブロック図である。
【０２４８】
図２５を参照して、本発明の実施の形態２に従う会議システム１＃においては、ＭＦＰ１０＃と、被投影体であるホワイトボード１５０と、被投影体であるホワイトボード１５０に配信データを投影する投影装置であるプロジェクタ部１２と、被投影体であるホワイトボードに表示された画像を取得する画像取得装置であるカメラ部１４とを備える。
【０２４９】
ホワイトボード１５０は、一例として、例えばマーカペン等により手書きによる書込入力が可能であるものとする。また、被投影体であるホワイトボード１５０に対して、例えば、手書き等により書込入力された画像を圧接して消去する消去装置１７０と、消去装置１７０を制御する消去装置制御部１７５とが設けられる。また、リモコン４５とを備える。
【０２５０】
本発明の実施の形態２に従うＭＦＰ１０＃は、メイン回路２０＃と、リモコン検知部３５とを含む。なお、図示しないが、図２で説明したＭＦＰ１０に設けられていた自動原稿搬送装置４０と、原稿読取部５０と、画像形成部６０と、給紙部７０と、操作パネル８０と、ファクシミリ部２７等がさらに設けられているものとする。これらについては、図２で説明したのと同様であるのでその詳細な説明は繰り返さない。
【０２５１】
メイン回路２０＃は、メイン回路２０と比較してＣＰＵ２５をＣＰＵ２５＃に置換した点と、撮影画像送出部２６＃と、撮影画像取得部２７と、消去装置制御信号出力部２４とをさらに設けた点が異なる。その他の点については、図示していないが図２で説明したのと同様のものが設けられているものとする。
【０２５２】
投影画像送出部２６＃は、画像メモリ９２に格納されたデータをプロジェクタ部１２に出力する。
【０２５３】
プロジェクタ部１２は、投影画像送出部２６＃から出力された画像メモリ９２に格納された配信データ等を被投影体であるホワイトボード１５０に投影する。
【０２５４】
ホワイトボード１５０内における点線で囲まれた領域１６０は、プロジェクタ部１２から投影されたデータの外枠を示すものとする。
【０２５５】
カメラ部１４は、被投影体であるホワイトボード１５０に投影された表示された画像を取得し、撮影画像取得部２７に出力する。
【０２５６】
撮影画像取得部２７は、画像メモリ９６に取得した撮影画像である撮影画像データを保存する。
【０２５７】
リモコン検知部３５は、リモコン４５から入力されたリモコン信号の入力を検知して当該検知信号をＣＰＵ２５＃に出力する。
【０２５８】
消去装置制御信号出力部２４は、被投影体であるホワイトボード１５０に設けられた消去装置を駆動するための制御信号を出力する。
【０２５９】
図２６は、本発明の実施の形態２に従うボックス配信処理を説明するフロー図である。
かかるフロー図に示される処理は、ＭＦＰ１０＃のＣＰＵ２５＃がＲＯＭ２２に格納された所定のプログラムを実行することにより実現される。以下、ＭＦＰ１０＃のＣＰＵ２５＃により実行される処理のフロー図においても同様である。
【０２６０】
図２６を参照して、まず先頭ページを取得する（ステップＳ７１）。具体的には、ＣＰＵ２５＃は、選択された会議ファイルＦＡについて会議ファイルＦＡを構成する複数ページのうちの最初の先頭ページのデータをＨＤＤ２６から読出す。そして、読み出したデータを画像メモリ９４に格納する。
【０２６１】
そして、次に、取得したページを投影する（ステップＳ７１＃）。具体的には、ＣＰＵ２５＃は、画像メモリ９４に格納されたデータを画像メモリ９２に格納する。投影画像送出部２６＃は、画像メモリ９２に格納された配信データ（投影データ）をプロジェクタ部１２に出力する。これにより、プロジェクタ部１２から被投影体であるホワイトボード１５０に投影データが投影されて、ホワイトボードに投影画像が表示されることになる。
【０２６２】
投影画像は、図８で説明したのと同様であるのでその詳細な説明は繰り返さない。
そして、次に、ＣＰＵ２５＃は、ホワイトボード上に投影された画像を取得する（ステップＳ７２）。具体的には、ホワイトボード１５０上に投影された投影画像をカメラ部１４により撮影して撮影画像である撮影画像データを撮影画像取得部２７に出力する。そして、撮影画像取得部２７は、撮影画像データを画像メモリ９６に格納する。
【０２６３】
そして、次に、ＣＰＵ２５＃は、画像メモリ９６に格納された撮影画像データについて、ホワイトボード上の配信データの表示領域すなわち、プロジェクタ部１２から投影されたデータの外枠領域１６０を抽出する（ステップＳ７２＃）。
【０２６４】
具体的には、当該外枠領域１６０の抽出は、画像メモリ９４に格納されている配信データとの比較に基づいて抽出することが可能である。あるいは、ホワイトボード１５０上の被投影体の地色（例えば白色）と表示されている配信データとのコントラストの差に基づいて外枠領域１６０を抽出するようにすることも可能である。
【０２６５】
当該処理により、次に画像メモリ９６に入力される撮影画像データについて、プロジェクタ部１２から投影された投影データ領域を判断することが可能である。
【０２６６】
そして、次に、ＣＰＵ２５＃は、書込実行ボタンの操作指示があったかどうかを判断する（ステップＳ７３）。
【０２６７】
なお、本例においては、ユーザは、書込実行ボタンの操作指示前にホワイトボード１５０上に書込入力を実行するものとする。具体的には、図９あるいは図１０で説明した手書きによる領域指定である書込入力あるいはポイントによる領域指定である書込入力を実行するものとする。
【０２６８】
ここで、例えば、操作パネルの操作部８４においては、配信データの配信処理が実行されている場合には、図示しないが書込実行ボタンが設けられているものとする。あるいはリモコン４５等に書込実行ボタンが設けられているものとし、ＣＰＵ２５＃は、当該書込実行ボタンの操作指示があったかどうかを判断する。
【０２６９】
次に、ＣＰＵ２５＃は、書込実行ボタンの操作指示があった場合には、ホワイトボード上の画像を取得する（ステップＳ７４）。具体的には、ホワイトボード上の表示画像をカメラ部１４により撮影して撮影画像データを撮影画像取得部２７に出力する。そして、撮影画像取得部２７は、撮影画像データを画像メモリ９６に格納する。
【０２７０】
そして、次に、ＣＰＵ２５＃は、書込入力した書込画像があるかどうかを判断する（ステップＳ７５）。
【０２７１】
そして、ＣＰＵ２５＃は、画像メモリ９６に格納されている撮像画像データについて、抽出した外枠領域１６０に含まれる画像データと、画像メモリ９４に格納されている配信データとを比較して、その差分に基づいて差分があると判断された場合には、書込入力した書込画像があると判断することが可能である。
【０２７２】
具体的には、抽出した外枠領域１６０に含まれる画像データについて、抽出した外枠領域１６０との相体的な位置関係情報に基づいて画像メモリ９４に対応する座標位置データに置き換えることにより、配信データのどの位置に書込画像が入力されたか判断することが可能である。
【０２７３】
ステップＳ７５において、ＣＰＵ２５＃は、書込入力した書込画像があると判断した場合には、次に、書込画像データを取得する（ステップＳ７５＃）。具体的には、ＣＰＵ２５＃は、画像メモリ９４に格納されている配信データと、画像メモリ９６に格納されている撮影画像データについて、抽出した外枠領域１６０に含まれている画像データとの差分に基づく書込画像データを取得する。より、具体的には、書込画像データについて、抽出した外枠領域１６０との相体的な位置関係情報を取得し、当該情報により、ＣＰＵ２５＃は、画像メモリ９４に格納されている配信データのどの位置に書込画像が入力されたかを判断し、書込画像データを取得する。
【０２７４】
そして、次に、ＣＰＵ２５＃は、取得した書込画像データに基づいて、書込入力した書込画像が手書きによる領域指定画像かどうかを判断する（ステップＳ７６）。具体的には、ＣＰＵ２５＃は、上述したのと同様に、書込入力した書込画像について、所定の大きさ以上の画像領域を囲む線画像が含まれているか否かに基づいて判断することが可能である。
【０２７５】
より具体的には、ＣＰＵ２５＃は、取得した書込画像データについて、抽出した外枠領域１６０との相体的な位置関係情報に基づいて画像メモリ９４に対応する座標位置データに置き換えて所定の大きさ以上の画像領域を囲む線画像が含まれているか否かに基づいて判断することが可能である。
【０２７６】
ステップＳ７６において、ＣＰＵ２５＃は、取得した書込画像データに基づいて、書込入力した書込画像が手書きによる領域指定画像であると判断した場合には、次に指定書込領域表示処理を実行する（ステップＳ８０）。指定書込領域表示処理については後述する。
【０２７７】
一方、ステップＳ７６において、ＣＰＵ２５＃は、取得した書込画像データに基づいて、書込入力した書込画像が手書きによる領域指定画像でないと判断された場合には、次に、書込入力した書込画像はポイントによる領域指定画像かどうかを判断する（ステップＳ７７）。具体的には、ＣＰＵ２５＃は、上述したのと同様に書込入力した書込画像について、所定形状のポイントが複数個含まれているか否かに基づいて判断することが可能である。例えば、円形状のポイントが４個含まれているか否か等を指標とすることが可能である。
【０２７８】
そして、ステップＳ７７において、ＣＰＵ２５＃は、書込入力した書込画像はポイントによる領域指定画像であると判断した場合には、次に、ポイントの認識処理を実行する（ステップＳ７８）。具体的には、上述したのと同様にＣＰＵ２５＃は、取得した書込画像データに基づいて、外枠領域１６０内に表示された円形状のポイントの座標位置データを抽出する。当該座標位置データは、抽出した外枠領域１６０との相体的な位置関係情報に基づいて画像メモリ９４に対応する座標位置データとすることが可能である。
【０２７９】
そして、次にＣＰＵ２５＃は、ステップＳ７８においてポイントの認識処理を実行した後、次に、認識したポイントを頂点とした領域指定画像を作成する（ステップＳ７９）。具体的には、認識した円形状のポイントの座標位置データに基づいて、４個のポイントを頂点として仮想的に所定の画像領域を囲むように描かれる線画像を形成する。
【０２８０】
そして、ステップＳ８０に進み、後述する指定書込領域表示処理を実行する。
そして、次に、ＣＰＵ２５＃は、書込入力合成処理を実行する（ステップＳ８１）。
【０２８１】
そして、次に、ＣＰＵ２５＃は、次ページの切替指示が有るかどうかを判断する（ステップＳ８２）。具体的には、操作パネルの操作部８４において切替指示ボタンが押下されたかどうかに基づいて判断する。
【０２８２】
ステップＳ８２において、ＣＰＵ２５＃は、次ページ切替指示が有ると判断した場合には、ステップＳ８３に進み、現在最終ページかどうかを判断する（ステップＳ８３）。
【０２８３】
ステップＳ８３において、ＣＰＵ２５＃は、現在最終ページで無いと判断した場合には次ページを取得する（ステップＳ８４）。そして、次に、ステップＳ７１＃に戻り、次ページにおける取得したページの投影処理を実行する。そして、上述の処理を繰り返し、ＣＰＵ２５＃は、再び、ステップＳ８３において、現在最終ページとなった場合にはボックス配信処理を終了する（エンド）。
【０２８４】
一方、ステップＳ７７において、ポイントによる領域指定画像ではないと判断された場合には、ステップＳ８２に進む。
【０２８５】
そして、次に、ＣＰＵ２５＃は、次ページの切換指示が有るかどうかを判断する（ステップＳ８２）。以降の処理は、同様であるのでその詳細な説明は繰り返さない。
【０２８６】
したがって、投影されたページについて、書込実行ボタンの操作指示が無かった場合、書込入力した書込画像が無い場合、あるいは、領域指定画像で無い書込入力が実行された場合には、ステップＳ８０における指定書込領域表示処理は実行されず、次ページの切替指示に従って、ステップＳ８３に進む。
【０２８７】
図２７は、本発明の実施の形態２に従う指定書込領域表示処理について説明するフロー図である。
【０２８８】
上述したように、ＣＰＵ２５＃は、取得した書込画像データについて、抽出した外枠領域１６０との相体的な位置関係情報に基づいて画像メモリ９４に対応する座標位置データに置き換えることにより、配信データのどの位置に書込画像が入力されたか判断することが可能であるため、実施の形態１で説明したのと同様の処理を実行することが可能である。
【０２８９】
図２７を参照して、図１１で説明した指定書込領域表示処理と同様の処理であり、異なる点は、ステップＳ９０＃において、指定書込領域が確保された合成データをプロジェクタ部１２を用いてホワイトボード１５０に投影する処理である。その他の点については、図１１で説明したのとほぼ同様であるのでその詳細な説明は繰り返さない。
【０２９０】
なお、ステップＳ３４における指定書込領域を確保して原画像データ（配信データ）の加工編集処理については、ＣＰＵ２５＃は、画像メモリ９４に格納されている配信データを取得して、判断した領域指定画像に基づいて領域指定画像内に対応する領域が表示されるように加工編集し、そして、領域指定画像外である指定書込領域については、何も表示しないデータとして、例えばｎｕｌｌデータとする。例えば、ＣＰＵ２５＃の作業領域等として用いられるＲＡＭ２３を用いて、当該処理を実行することが可能である。なお、ここでは、何も表示しないデータとして、ｎｕｌｌデータを格納する場合について説明したが、例えば、プロジェクタ部１２がモノクロ画像ではなく、カラー画像を投影可能である場合には、所定の色を表示するデータを格納することも可能である。また、ホワイトボードと同じ色を表示するデータを格納することも可能である。
【０２９１】
そして、ＣＰＵ２５＃は、加工編集された合成データを画像メモリ９２に格納するものとする。
【０２９２】
また、ステップＳ３７における指定書込領域に選択した書込領域パターンを合成して原画像データの加工編集処理については、ＣＰＵ２５＃は、画像メモリ９４に格納されている配信データを取得して、判断した領域指定画像に基づいて領域指定画像内に対応する領域が表示されるように加工編集し、そして、領域指定画像外については、選択した書込領域パターンである書込入力領域画像データが表示されるように縮小あるいは拡大処理する加工編集を実行する。例えば、ＣＰＵ２５＃の作業領域等として用いられるＲＡＭ２３を用いて、当該処理を実行することが可能である。
【０２９３】
そして、ＣＰＵ２５＃は、加工編集された合成データを画像メモリ９２に格納するものとする。
【０２９４】
当該処理により、実施の形態１で説明したのと同様に、表示装置１０１で表示された指定書込領域と同様の指定書込領域がホワイトボード１５０上の外枠領域１６０内に確保されることになる。
【０２９５】
当該構成により、ホワイトボード１５０上において、指定書込領域が確保されることにより、ユーザは指定書込領域に対する書込入力を実行することができる。
【０２９６】
本発明の実施の形態に従う方式により、指定書込領域を確保することによって、ホワイトボード１５０の領域全体に配信データが表示されているような場合であっても、ホワイトボード１５０上に書込入力をする場合、表示されている画像との重なりで、書込入力した内容が不明瞭となる可能性を回避することが可能である。
【０２９７】
また、本発明の実施の形態に従う方式により、指定書込領域を確保することによって、書込入力するスペースがなかったり、あるいは、書込入力するスペースとして、領域の隅に書く必要があったり等、書込入力するためのスペースの問題で適切な場所に書込入力を実行することができないという問題を解消して、ユーザの利便性を向上させ、会議の進行を容易にすることが可能となる。
【０２９８】
図２８は、本発明の実施の形態２に従う書込入力の合成処理を説明するフロー図である。
【０２９９】
図２８を参照して、まず、書込入力の保存設定があるかどうかを判断する（ステップＳ４１）。
【０３００】
図２９は、本発明の実施の形態２に従う各種設定画面を説明する図である。
具体的には、図１２で説明した指定書込領域確認画面において、「設定画面へ」ボタン３１２を押下することにより、書込に関する種々の各種設定処理を実行する各種設定画面に移行することが可能である。なお、図１２の指定書込領域確認画面以外の画面に、各種設定画面に移行することが可能なように「設定画面へ」ボタン３１２を設けるようにすることも可能である。
【０３０１】
図２９を参照して、操作パネルの表示部８２において、「各種設定内容を変更してください」の表示とともに、書込入力保存の設定項目４００と、合成タイミングの設定項目４１０＃と、合成方法の設定項目４２０と、合成データの追加方法の設定項目４３０と、消去処理の設定項目４５０と、消去タイミングの設定項目４６０とがそれぞれ設けられている場合が示されている。
【０３０２】
ここで、書込入力保存の設定項目４００、合成方法の設定項目４２０、合成データ追加方法の設定項目４３０、消去処理の設定項目４５０と、消去タイミングの設定項目４６０とについては、図１９で説明した各種設定画面と同様であるのでその詳細な説明は繰り返さない。
【０３０３】
ここで、合成タイミングの項目４１０＃において、「ページ切替」ボタン４１２を選択することにより、合成タイミングはページ切替設定となる。また、「一定時間書込無し」ボタン４１４を選択することにより、合成タイミングは、一定時間書込無し設定となる。また、「手が非認識となった状態」ボタン４１５を選択することにより、合成タイミングは、手が認識された後、非認識となった状態に設定となる。また、「合成ボタン指示」４１６を選択することにより、合成タイミングは合成ボタンの指示に設定される。
【０３０４】
再び、図２８を参照して、ステップＳ４１において、ＣＰＵ２５＃は、書込入力の保存設定がない場合には処理を終了する（エンド）。
【０３０５】
具体的には、上述したように、図２９の各種設定画面において、書込入力保存の設定項目４００において、「しない」ボタン４０４が選択されて、書込入力保存の設定が無しに設定されている場合には、処理を終了する。
【０３０６】
一方、ステップＳ４１において、ＣＰＵ２５＃は、書込入力の保存設定があると判断した場合、具体的には、上述したように、図２９の各種設定画面において、書込入力保存の設定項目４００において、「する」ボタン４０２が選択されて、書込入力保存の設定が有りに設定されている場合には、次に、合成タイミングがページ切換設定かどうかを判断する（ステップＳ４２）。
【０３０７】
具体的には、図２９の各種設定画面において、合成タイミングの設定項目４１０＃において、「ページ切替」ボタン４１２が選択されて、合成タイミングは、ページ切替に設定されているか否かに基づいて判断される。
【０３０８】
ステップＳ４２において、ＣＰＵ２５＃は、合成タイミングがページ切換設定であると判断した場合には、ステップＳ４３に進み、ページ切替指示が入力されたかどうかを判断する（ステップＳ４３）。ステップＳ４３において、ＣＰＵ２５＃は、ページ切替指示が入力された場合には、ホワイトボード上の画像を取得する（ステップＳ１０３）。そして、合成処理を実行する（ステップＳ５０）。
【０３０９】
一方、ステップＳ４２において、ＣＰＵ２５＃は、合成タイミングがページ切換設定でないと判断した場合には、合成タイミングが一定時間書込無しかどうかを判断する（ステップＳ４４）。
【０３１０】
具体的には、図２９の各種設定画面において、合成タイミングの設定項目４１０＃において、「一定時間書込無し」ボタン４１４が選択されて、合成タイミングが、一定時間書込無しに設定されているか否かに基づいて判断される。
【０３１１】
ステップＳ４４において、合成タイミングが一定時間書込無しに設定されていると判断された場合には、ステップＳ４５に進み、ＣＰＵ２５＃は、一定時間書込無しかどうかを判断する（ステップＳ４５）。具体的には、図２７のステップＳ９０＃において、指定書込領域を確保した合成データがホワイトボードにプロジェクタ部１２によって投影された後、カメラ部１４により、ホワイトボード上に表示された撮影画像を取得する。
【０３１２】
指定書込領域に対する書込入力の画像を取得してから、一定時間内に指定書込領域に対する書込入力が実行されて指定書込領域に対する書込画像が更新されないか否かに基づいて、一定時間書込無しかどうかを判断することが可能である。
【０３１３】
具体的には、カメラ部１４により、ホワイトボード上に表示された画像を取得して、撮影された撮影画像が画像メモリ９６に格納されるが、ＣＰＵ２５＃は、画像メモリ９６に格納される撮影画像データが一定時間内に更新されるか否かに基づいて判断することが可能である。
【０３１４】
ＣＰＵ２５＃は、画像メモリ９６に格納される撮影画像データが一定時間内に更新されないと判断した場合には、一定時間書込無しと判断することが可能である。
【０３１５】
ステップＳ４５において、ＣＰＵ２５＃は、一定時間書込無しと判断した場合には、ホワイトボード上の画像を取得する（ステップＳ１０３）。すなわち、カメラ部１４により、ホワイトボード上に表示された画像を取得して、撮影された撮影画像を画像メモリ９６に格納する場合、一定時間書込無しと判断された場合に、画像メモリ９６に格納されているデータを最終のホワイトボード上の撮影画像データとする。そして、合成処理を実行する（ステップＳ５０）。
【０３１６】
一方、ステップＳ４４において、ＣＰＵ２５＃は、合成タイミングが一定時間書込無しに設定されていないと判断した場合には、合成タイミングは手が非認識となった状態に設定されているかどうかを判断する（ステップＳ１００）。具体的には、図２９の各種設定画面において、合成タイミングの設定項目４１０＃において、「手が非認識となった状態」ボタン４１５が選択されて、合成タイミングが手が認識された後、非認識となった状態に設定されているか否かに基づいて判断される。
【０３１７】
ステップＳ１００において、ＣＰＵ２５＃は、合成タイミングが手が非認識となった状態であると判断した場合には、ユーザの手認識処理を実行する（ステップＳ１０１）。
【０３１８】
具体的には、カメラ部１４により、ホワイトボード上に表示された画像を取得して、撮影された撮影画像を画像メモリ９６に格納し、画像メモリ９６に格納されている撮影画像に手が含まれているかの認識処理を実行する。たとえば、認識対象である手の画像データとのパターンマッチングにより、手が含まれているか否かの認識処理を実行することが可能である。
【０３１９】
そして、ＣＰＵ２５＃は、ユーザの手認識が有るかどうかを判断する（ステップＳ１０２）。手認識処理により、ユーザの手の認識がされている場合には、ステップＳ１０１、Ｓ１０２の処理を繰返す。一方、ステップＳ１０２において、ＣＰＵ２５＃は、ユーザの手の認識がなくなったと判断した場合には、ステップＳ１０３に進む。
【０３２０】
そして、ホワイトボード上の画像を取得する（ステップＳ１０３）。すなわち、カメラ部１４により、ホワイトボード上に表示された画像を取得して、撮影された撮影画像を画像メモリ９６に格納する場合、ユーザの手の認識がなくなった場合には、画像メモリ９６に格納されているデータを最終のホワイトボード上の撮影画像データとする。そして合成処理を実行する（ステップＳ５０）。
【０３２１】
一方、ステップＳ１００において、ＣＰＵ２５＃は、合成タイミングが手が非認識となった状態に設定されていないと判断した場合には、合成ボタンの指示有りかどうかを判断する（ステップＳ４７）。合成タイミングが、ページ切替設定でなく、一定時間書込無しの設定でなく、かつ、手が非認識となった状態に設定でない場合には、合成タイミングは、合成ボタンの指示に設定されていると判断できるからである。
【０３２２】
ステップＳ４７において、合成ボタンの指示が有ると判断された場合には、ホワイトボード上の画像を取得する（ステップＳ１０３）。すなわち、合成ボタンの指示が有った場合には、当該指示をトリガとして、カメラ部１４により、ホワイトボード上に表示された画像を取得して、撮影された撮影画像が画像メモリ９６に格納されているデータを最終のホワイトボード上の撮影画像データとする。そして、合成処理を実行する（ステップＳ５０）。
【０３２３】
ステップＳ５０における合成処理およびステップＳ６０における保存処理については、図２０および図２２で説明したのと同様である。
【０３２４】
なお、指定書込領域に書込入力された書込画像データの取得については、上述したのと同様の方式により、ＣＰＵ２５＃は、画像メモリ９２に格納されているデータと、画像メモリ９６に格納されている撮影画像データのうちの抽出した外枠領域１６０に含まれている画像データとの差分に基づく指定書込領域における書込画像データを取得するものとする。
【０３２５】
当該方式においても、指定書込領域に入力した書込画像データを合成した合成データを追加して、確認することができる。
【０３２６】
また、合成データをＨＤＤ２６に独立に格納することにより、後で格納した合成データにアクセスして確認することも可能である。
【０３２７】
再び、図２８を参照して、次に、消去処理を実行する（ステップＳ１１０）。そして、処理を終了する（エンド）。
【０３２８】
ステップＳ１１０における消去処理のフロー図については、図２４で説明したのと同様である。
【０３２９】
具体的な消去処理としては、ＣＰＵ２５＃は、消去装置制御信号出力部２４に対して、消去装置制御部１７５に消去の実行を指示する制御信号を出力するように指示する。
【０３３０】
消去装置制御部１７５は、消去装置制御信号出力部２４から出力された消去の実行を指示する制御信号の入力を受けて、消去装置１７０を駆動して、ホワイトボード１００に書込入力された画像を消去する。
【０３３１】
消去装置１７０は、被投影体であるホワイトボード１５０を圧接しながら移動して、例えば、手書き等により書込入力されたホワイトボード上の画像を消去するものとする。
【０３３２】
すなわち、本発明の実施の形態２に従う方式により、ホワイトボード上の指定書込領域に入力した書込データを合成した後、合成データを追加して、確認することができるとともに、消去装置１７０により書込入力された画像を自動的に消去することが可能である。
【０３３３】
また、ホワイトボード上の書込画像は、放置しておくと、次のページの画像と重なり、不明瞭となる可能性があるため、ユーザは、次のページの切替指示を実行する前に、例えば、ホワイトボード上の指定書込領域に書き込まれた画像を消す手作業等が必要となるが、本実施の形態２に従う方式により、当該煩雑な作業を回避し、ユーザの利便性に供することが可能である。
【０３３４】
また、復元処理としては、ＣＰＵ２５＃は、画像メモリ９４に格納されている配信データを画像メモリ９２に格納する。これにより、一例として、ホワイトボード１５０に書込入力が実行されていない図８で説明したのと同様の画像２００が表示されることになる。
【０３３５】
したがって、書込入力を実行する前に復元することにより、元の状態に戻して、ユーザの利便性を向上させ、容易に会議の進行を進めることが可能である。
【０３３６】
また、本実施の形態２においては、カメラ部１４により撮影した撮影画像データを撮影画像取得部２７に出力する場合について説明したが、カメラ部１４の代わりに、スキャナ部をホワイトボード１５０に設けてホワイトボードに書込入力された画像を読み取った読取画像データを撮影画像取得部２７に出力するようにすることも可能である。
【０３３７】
本発明の実施の形態においては、ＭＦＰ１０，１０＃のＨＤＤ２６に格納された配信データを表示装置に表示するあるいは、プロジェクタ部を介して被投影体に投影する方式について説明したが、ＭＦＰに限られず、ＰＣであっても良いし、プリンタ等であってもよい。また、ＨＤＤ２６に格納された配信データに限られず、他の記憶部に格納された配信データであっても良く、例えば、図３のフラッシュメモリ３０に格納された配信データを配信するようにすることも当然に可能である。
【０３３８】
また、本例においては、リモコン４５およびリモコン検知部３５を設けて、リモコンを操作して、ページ切替等の操作指示を実行可能な構成についても説明したが、当該リモコン４５およびリモコン検知部３５を設けることなく、全ての操作指示を操作パネル８０で実行するようにしても良い。
【０３３９】
なお、上述した本発明の会議システムを実現するためにコンピュータを機能させて、上述のフローで説明したような制御を実行させるプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０３４０】
なお、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０３４１】
また、プログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０３４２】
提供されるプログラム製品は、ハードディスクなどのプログラム格納部にインストールされて実行される。なお、プログラム製品は、プログラム自体と、プログラムが記録された記録媒体とを含む。
【０３４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０３４４】
【図１】本発明の実施の形態１に従う会議システム（データ配信システム）の関係を説明する図である。
【図２】本発明の実施の形態１に従う会議システム１のＭＦＰ１０および表示装置１０１の概略ブロック構成図である。
【図３】ボックスボタンを選択した場合のボックス選択画面を説明する図である。
【図４】図３において会議ボックスボタンを押下した場合の会議ファイル選択画面を説明する図である。
【図５】会議ファイル処理選択画面を説明する図である。
【図６】本発明の実施の形態１に従うＭＦＰ１０におけるボックス（ＢＯＸ）配信処理の起動を説明するフロー図である。
【図７】本発明の実施の形態１に従うボックス配信処理を説明するフロー図である。
【図８】本発明の実施の形態１に従う表示装置１０１の表示領域１０２内に表示された画像２００を説明する図である。
【図９】本発明の実施の形態１に従う表示装置１０１の表示領域１０２内に表示された画像２０１を説明する図である。
【図１０】本発明の実施の形態１に従う表示装置１０１の表示領域１０２内に表示された画像２０２を説明する図である。
【図１１】本発明の実施の形態１に従う指定書込領域表示処理について説明するフロー図である。
【図１２】指定書込領域確認画面を説明する図である。
【図１３】本発明の実施の形態１に従う書込領域パターンリスト表示確認画面を説明する図である。
【図１４】本発明の実施の形態１に従う指定書込領域を確保した原画像データを加工編集処理した合成データを表示した場合を説明する概念図である。
【図１５】本発明の実施の形態１に従う図１１のステップＳ３３における書込領域パターンリスト画面を説明する図である。
【図１６】本発明の実施の形態１に従う指定書込領域に選択した書込領域パターンを合成して原画像データを加工編集処理した合成データを表示した場合を説明する概念図である。
【図１７】本発明の実施の形態１に従う指定書込領域に書込入力を実行した書込画像データを原画像データ（配信データ）と合成してＭＦＰ１０のＢＯＸに保存する場合の概念図である。
【図１８】本発明の実施の形態１に従う書込入力の合成処理を説明するフロー図である。
【図１９】本発明の実施の形態１に従う各種設定画面を説明する図である。
【図２０】本発明の実施の形態１に従う合成処理を説明するフロー図である。
【図２１】本発明の実施の形態１に従う書込画像データを原画像データと合成処理した場合を説明する図である。
【図２２】本発明の実施の形態１に従う保存処理を説明するフロー図である。
【図２３】本発明の実施の形態１に従うページ追加の保存処理を説明する図である。
【図２４】本発明の実施の形態１に従う消去処理を説明するフロー図である。
【図２５】本発明の実施の形態２に従う会議システム１＃（データ配信システム）の関係を説明する概略ブロック図である。
【図２６】本発明の実施の形態２に従うボックス配信処理を説明するフロー図である。
【図２７】本発明の実施の形態２に従う指定書込領域表示処理について説明するフロー図である。
【図２８】本発明の実施の形態２に従う書込入力の合成処理を説明するフロー図である。
【図２９】本発明の実施の形態２に従う各種設定画面を説明する図である。
【符号の説明】
【０３４５】
１０，１０＃  ＭＦＰ、１２  プロジェクタ部、１４  カメラ部、２０  メイン回路、２１  ネットワークＩ／Ｆ部、２２  ＲＯＭ、２３  ＲＡＭ、２４  消去装置制御信号出力部、２５，２５＃  ＣＰＵ、２６  ＨＤＤ、２６＃  投影画像送出部、２７  撮影画像取得部、２８  カードＩ／Ｆ、２９  画面表示装置Ｉ／Ｆ部、３０  フラッシュメモリ、３５  リモコン検知部、４０  自動原稿搬送装置、４５  リモコン、５０  原稿読取部、６０  画像形成部、７０  給紙部、８０  操作パネル、９０  ファクシミリ部、９２，９４，９６  画像メモリ、１０１  表示装置、１５０  ホワイトボード、１７０  消去装置、１７５  消去装置制御部。
【図１】
2010146086.tif 000003
【図２】
2010146086.tif 000004
【図３】
2010146086.tif 000005
【図４】
2010146086.tif 000006
【図５】
2010146086.tif 000007
【図６】
2010146086.tif 000008
【図７】
2010146086.tif 000009
【図８】
2010146086.tif 000010
【図９】
2010146086.tif 000011
【図１０】
2010146086.tif 000012
【図１１】
2010146086.tif 000013
【図１２】
2010146086.tif 000014
【図１３】
2010146086.tif 000015
【図１４】
2010146086.tif 000016
【図１５】
2010146086.tif 000017
【図１６】
2010146086.tif 000018
【図１７】
2010146086.tif 000019
【図１８】
2010146086.tif 000020
【図１９】
2010146086.tif 000021
【図２０】
2010146086.tif 000022
【図２１】
2010146086.tif 000023
【図２２】
2010146086.tif 000024
【図２３】
2010146086.tif 000025
【図２４】
2010146086.tif 000026
【図２５】
2010146086.tif 000027
【図２６】
2010146086.tif 000028
【図２７】
2010146086.tif 000029
【図２８】
2010146086.tif 000030
【図２９】
2010146086.tif 000031